(57)【特許請求の範囲】
【請求項１】
視聴者が視聴している放送番組を録画する録画部と、
視聴者が視聴した放送番組の履歴を示す視聴履歴情報と視聴者が視聴している放送番組の内容に関する番組情報とに基づいて視聴者に提供される提供情報が情報処理装置により取得可能な状態になった場合、前記提供情報を取得して表示部に表示させるとともに、前記録画部により録画された放送番組のうちの前記提供情報に対応する部分を再生して前記表示部に表示させる表示制御部と、
前記提供情報が取得可能な状態になった場合、視聴者が視聴している放送番組のうちの前記提供情報に対応する部分の開始時点を示す情報を前記情報処理装置から取得する再生情報取得部と、
を備え、
前記表示制御部は、
前記再生情報取得部が取得した前記開始時点を示す情報に基づいて、前記録画部により録画された放送番組のうちの前記提供情報に対応する部分を再生して前記表示部に表示させることを特徴とする受信装置。
【請求項２】
前記提供情報が取得可能な状態になった場合、前記情報処理装置の制御により送信される、前記提供情報が取得可能な状態になったことを示す通知情報を取得する通知情報取得部を備え、
前記表示制御部は、
前記通知情報取得部が前記通知情報を取得したことに応じて、前記提供情報を取得して前記表示部に表示させるとともに、前記録画部により録画された放送番組のうちの前記提供情報に対応する部分の再生を開始して前記表示部に表示させる、
ことを特徴とする請求項１に記載の受信装置。
【請求項３】
前記通知情報取得部が前記通知情報を取得した場合に、視聴者からの前記提供情報の表示指示の操作入力を受け付ける操作取得部、
を備え、
前記表示制御部は、
前記操作取得部が前記提供情報の表示指示の操作入力を取得したことに応じて、前記提供情報を取得して前記表示部に表示させるとともに、前記録画部により録画された放送番組のうちの前記提供情報に対応する部分の再生を開始して前記表示部に表示させる、
ことを特徴とする請求項２に記載の受信装置。
【請求項４】
視聴者が視聴している放送番組は、複数に区分された番組内のコーナーから構成されており、前記提供情報は、前記区分された番組内のコーナー単位で前記情報処理装置により選択され、
前記表示制御部は、
前記提供情報が取得可能な状態になった場合、前記提供情報を取得して前記表示部に表示させるとともに、前記録画部により録画された放送番組のうちの前記提供情報に対応する前記区分された番組内のコーナーの最初から再生を開始して前記表示部に表示させる、
ことを特徴とする請求項１から請求項３の何れか一項に記載の受信装置。
【請求項５】
複数の前記提供情報が取得可能な状態になった場合、複数の前記提供情報のリストを取得する提供情報取得部、
を備え、
前記表示制御部は、
前記提供情報取得部が取得した前記提供情報のリストを前記表示部に表示させる、
ことを特徴とする請求項１から請求項４の何れか一項に記載の受信装置。
【請求項６】
前記表示制御部は、
前記表示部に表示させた前記提供情報のリストの中から選択された前記提供情報を取得して前記表示部に表示させるとともに、前記録画部により録画された放送番組のうちの前記提供情報に対応する部分の再生を開始して前記表示部に表示させる、
ことを特徴とする請求項５に記載の受信装置。
【請求項７】
前記表示制御部は、
前記通知情報取得部が取得した前記通知情報に基づく情報を前記表示部に表示させる、
ことを特徴とする請求項２に記載の受信装置。
【請求項８】
前記録画部は、
視聴者が視聴している放送番組以外の放送番組を含む複数の放送番組を録画する、
ことを特徴とする請求項１から請求項７の何れか一項に記載の受信装置。
【請求項９】
前記録画部は、
受信する複数の放送番組を常時録画する、
ことを特徴とする請求項１から請求項８の何れか一項に記載の受信装置。
【請求項１０】
視聴者が視聴している放送番組を録画する録画部を備えた受信装置のコンピュータに、
視聴者が視聴した放送番組の履歴を示す視聴履歴情報と視聴者が視聴している放送番組の内容に関する番組情報とに基づいて視聴者に提供される提供情報が情報処理装置により取得可能な状態になったことを示す情報を参照することにより、前記提供情報を取得して表示部に表示させるとともに、前記録画部により録画された放送番組のうちの前記提供情報に対応する部分を再生して前記表示部に表示させるステップ、
前記提供情報が取得可能な状態になった場合、視聴者が視聴している放送番組のうちの前記提供情報に対応する部分の開始時点を示す情報を前記情報処理装置から取得させるステップ、
取得した前記開始時点を示す情報に基づいて、前記録画部により録画された放送番組のうちの前記提供情報に対応する部分を再生して前記表示部に表示させるステップ、
を実行させるためのプログラム。
【請求項１１】
視聴者が受信装置で受信して視聴した放送番組の履歴を示す視聴履歴情報と、視聴者が視聴している放送番組の内容に関する番組情報とに基づいて視聴者に提供する提供情報を選択する提供情報選択部と、
前記提供情報選択部により前記提供情報が選択されて提供可能な状態になった場合、前記提供情報を前記受信装置に対して送信するための制御をするとともに、視聴者が視聴している放送番組のうちの前記提供情報に対応する部分の開始時点を示す情報を前記受信装置に送信する制御部と、
を備えることを特徴とする情報処理装置。
【請求項１２】
情報処理装置による情報処理方法であって、
提供情報選択部が、視聴者が受信装置で受信して視聴した放送番組の履歴を示す視聴履歴情報と、視聴者が視聴している放送番組の内容に関する番組情報とを参照して、視聴者に提供する提供情報を選択するステップと、
制御部が、前記提供情報選択部により前記提供情報が選択されて提供可能な状態になった場合、前記提供情報を前記受信装置に対して送信するための制御をするとともに、視聴者が視聴している放送番組のうちの前記提供情報に対応する部分の開始時点を示す情報を前記受信装置に送信するステップと、
を有することを特徴とする情報処理方法。
【請求項１３】
受信装置で視聴者が視聴した放送番組の履歴を示す視聴履歴情報と、前記受信装置で視聴者が視聴している放送番組の内容に関する番組情報とに基づいて視聴者に提供される提供情報が情報処理装置により取得可能な状態になった場合、前記情報処理装置から前記提供情報のリストを取得する提供情報取得部と、
前記提供情報取得部が取得した前記提供情報のリストの中から選択された前記提供情報を取得して表示部に表示させる表示制御部と、
前記受信装置で録画された視聴者が視聴している放送番組のうち、選択された前記提供情報に対応する部分の再生を開始させるための再生指示情報を前記受信装置に送信する指示情報送信部と、
を備えることを特徴とする携帯端末装置。
【請求項１４】
コンピュータに、
受信装置で視聴者が視聴した放送番組の履歴を示す視聴履歴情報と、前記受信装置で視聴者が視聴している放送番組の内容に関する番組情報とに基づいて視聴者に提供される提供情報が情報処理装置により取得可能な状態になったことを示す情報を参照することにより、前記情報処理装置から前記提供情報のリストを取得するステップと、
取得した前記提供情報のリストの中から選択された前記提供情報を取得して表示部に表示させるステップと、
前記受信装置で録画された視聴者が視聴している放送番組のうち、選択された前記提供情報に対応する部分の再生を開始させるための再生指示情報を前記受信装置に送信するステップと、
を実行させるためのプログラム。
【請求項１５】
受信装置で視聴者が視聴した放送番組の履歴を示す視聴履歴情報と、前記受信装置で視聴者が視聴している放送番組の内容に関する番組情報とに基づいて視聴者に提供される提供情報が、情報処理装置により取得可能な状態になった場合、前記情報処理装置から前記提供情報のリストを取得する取得部と、
前記取得部が取得した前記提供情報のリストの中から選択された前記提供情報を取得して表示部に表示させる表示制御部と、
前記受信装置で録画された視聴者が視聴している放送番組のうち、選択された前記提供情報に対応する部分の再生を開始させるための再生指示情報を前記情報処理装置に送信する指示情報送信部と、
を備えることを特徴とする携帯端末装置。
【請求項１６】
コンピュータに、
受信装置で視聴者が視聴した放送番組の履歴を示す視聴履歴情報と、前記受信装置で視聴者が視聴している放送番組の内容に関する番組情報とに基づいて視聴者に提供される提供情報が情報処理装置により取得可能な状態になったことを示す情報を参照することにより、前記情報処理装置から前記提供情報のリストを取得するステップと、
取得した前記提供情報のリストの中から選択された前記提供情報を取得して表示部に表示させるステップと、
前記受信装置で録画された視聴者が視聴している放送番組のうち、選択された前記提供情報に対応する部分の再生を開始させるための再生指示情報を前記情報処理装置に送信するステップと、
を実行させるためのプログラム。
【請求項１７】
情報処理装置と、受信装置とを備えた情報処理システムであって、
前記情報処理装置は、
視聴者が受信装置で受信して視聴した放送番組の履歴を示す視聴履歴情報と、視聴者が視聴している放送番組の内容に関する番組情報とに基づいて視聴者に提供する提供情報を選択する提供情報選択部と、
前記提供情報選択部により前記提供情報が選択されて提供可能な状態になった場合、前記提供情報を前記受信装置に対して送信するための制御をするとともに、視聴者が視聴している放送番組のうちの前記提供情報に対応する部分の開始時点を示す情報を前記受信装置に送信する制御部と、
を備え、
前記受信装置は、
視聴者が視聴している放送番組を録画する録画部と、
前記提供情報が取得可能な状態になった場合、前記提供情報を取得する提供情報取得部と、
前記提供情報が取得可能な状態になった場合、視聴者が視聴している放送番組のうちの前記提供情報に対応する部分の開始時点を示す情報を前記情報処理装置から取得する再生情報取得部と、
前記提供情報取得部が取得した前記提供情報を表示部に表示させるとともに、前記再生情報取得部が取得した前記開始時点を示す情報に基づいて、前記録画部により録画された放送番組のうちの前記提供情報に対応する部分を再生して前記表示部に表示させる表示制御部と、
を備えることを特徴とする情報処理システム。
【請求項１８】
情報処理装置と、携帯端末装置と、受信装置と、を備えた情報処理システムであって、
前記情報処理装置は、
視聴者が受信装置で受信して視聴した放送番組の履歴を示す視聴履歴情報と、視聴者が視聴している放送番組の内容に関する番組情報とに基づいて視聴者に提供する提供情報を選択する提供情報選択部と、
前記提供情報選択部により前記提供情報が選択されて提供可能な状態になった場合、視聴者が視聴している放送番組のうちの前記提供情報に対応する部分の開始時点を示す情報を含む前記提供情報のリストを前記携帯端末装置に対して送信するための制御をする制御部と、
を備え、
前記携帯端末装置は、
前記提供情報が取得可能な状態になった場合、前記情報処理装置から前記提供情報のリストを取得する提供情報取得部と、
前記提供情報取得部が取得した前記提供情報のリストの中から選択された前記提供情報を取得して表示部に表示させる表示制御部と、
前記受信装置で録画された視聴者が視聴している放送番組のうち、選択された前記提供情報に対応する部分の再生を開始させるための再生指示情報を前記受信装置に送信する指示情報送信部と、
を備え、
前記受信装置は、
視聴者が視聴している放送番組を録画する録画部と、
前記携帯端末装置から送信される前記再生指示情報を取得する指示情報取得部と、
前記指示情報取得部が前記再生指示情報を取得したことに応じて、前記録画部により録画された放送番組のうちの前記提供情報に対応する部分を再生して前記表示部に表示させる表示制御部と、
を備えることを特徴とする情報処理システム。
【請求項１９】
情報処理装置と、携帯端末装置と、受信装置と、を備えた情報処理システムであって、
前記情報処理装置は、
視聴者が受信装置で受信して視聴した放送番組の履歴を示す視聴履歴情報と、視聴者が視聴している放送番組の内容に関する番組情報とに基づいて視聴者に提供する提供情報を選択する提供情報選択部と、
前記提供情報選択部により前記提供情報が選択されて提供可能な状態になった場合、前記提供情報のリストを前記携帯端末装置に対して送信するための制御をするとともに、前記携帯端末装置において前記提供情報のリストの中から選択された前記提供情報を特定可能な情報を前記携帯端末装置から取得し、取得した情報と前記番組情報とに基づいて、視聴者が視聴している放送番組のうち、選択された前記提供情報に対応する部分の開始時点を示す情報を前記受信装置に送信する制御部と、
を備え、
前記携帯端末装置は、
前記提供情報が取得可能な状態になった場合、前記情報処理装置から前記提供情報のリストを取得する提供情報取得部と、
前記提供情報取得部が取得した前記提供情報のリストの中から選択された前記提供情報を特定可能な情報を前記情報処理装置に送信する選択情報送信部と、
前記提供情報取得部が取得した前記提供情報のリストの中からいずれかの前記提供情報が選択された場合、選択された前記提供情報を取得して表示部に表示させる表示制御部と、
を備え、
前記受信装置は、
視聴者が視聴している放送番組を録画する録画部と、
視聴者が視聴している放送番組のうちの前記提供情報に対応する部分の開始時点を示す情報を前記情報処理装置から取得する再生情報取得部と、
前記再生情報取得部が取得した前記開始時点を示す情報に基づいて、前記録画部により録画された放送番組のうちの前記提供情報に対応する部分を再生して前記表示部に表示させる表示制御部と、
を備えることを特徴とする情報処理システム。
【発明の詳細な説明】
【技術分野】
【０００１】
本発明は、受信装置、携帯端末装置、情報処理装置、情報処理システム、情報処理方法、及びプログラムに関する。
【背景技術】
【０００２】
視聴者が視聴した番組または視聴している番組の視聴履歴情報と、番組の内容に関する番組情報を用いることでユーザの嗜好を分析し、視聴者の嗜好に合わせて、番組に関連した情報を提供するシステムが考案されている。（例えば、特許文献１、２、３、４参照）。
【先行技術文献】
【特許文献】
【０００３】
【特許文献１】特開２００３−３３１１８３号公報
【特許文献２】特開２００９−３０３１２０号公報
【特許文献３】特開２００２−１６５２０５号公報
【特許文献４】特開２０１４−２７６３７号公報
【発明の概要】
【発明が解決しようとする課題】
【０００４】
しかしながら、特許文献１〜４に示すシステムでは、現在視聴している番組の視聴履歴情報は、ネットワークを介してサーバに格納されるため、上述した番組に関連する情報を提供するサーバに格納されるまでに時間を要する。また番組情報は番組のコーナーが放送された後または番組が放送された後に作成されるため、上述した番組に関連する情報を提供するサーバに格納されるまでに時間を要する。このように利用する情報に遅延が発生するため、番組に関連する情報をサーバから提供したときにはそのコーナー又は番組の放送が終わっており、番組の次のコーナー又は次の番組が放送されているタイミングで情報が視聴者に提供されてしまうことがある。そのため、番組に関連する情報が視聴者に効果的に提供されない場合があった。
【０００５】
本発明は、このような事情に鑑みてなされたもので、その目的は、視聴する放送番組に関連する情報を視聴者に効果的に提供することができる受信装置、携帯端末装置、情報処理装置、情報処理システム、情報処理方法、及びプログラムを提供することを目的の一つとする。
【課題を解決するための手段】
【０００６】
この発明は上述した課題を解決するためになされたもので、本発明の一態様は、視聴者が視聴している放送番組を録画する録画部と、視聴者が視聴した放送番組の履歴を示す視聴履歴情報と視聴者が視聴している放送番組の内容に関する番組情報とに基づいて視聴者に提供される提供情報が情報処理装置により取得可能な状態になった場合、前記提供情報を取得して表示部に表示させるとともに、前記録画部により録画された放送番組のうちの前記提供情報に対応する部分を再生して前記表示部に表示させる表示制御部と、を備えることを特徴とする受信装置である。
【０００７】
また、本発明の一態様は、上記受信装置が、前記提供情報が取得可能な状態になった場合、前記情報処理装置の制御により送信される、前記提供情報が取得可能な状態になったことを示す通知情報を取得する通知情報取得部を備え、前記表示制御部は、前記通知情報取得部が前記通知情報を取得したことに応じて、前記提供情報を取得して前記表示部に表示させるとともに、前記録画部により録画された放送番組のうちの前記提供情報に対応する部分の再生を開始して前記表示部に表示させる、ことを特徴とする。
【０００８】
また、本発明の一態様は、上記受信装置が、前記通知情報取得部が前記通知情報を取得した場合に、視聴者からの前記提供情報の表示指示の操作入力を受け付ける操作取得部、を備え、前記表示制御部は、前記操作取得部が前記提供情報の表示指示の操作入力を取得したことに応じて、前記提供情報を取得して前記表示部に表示させるとともに、前記録画部により録画された放送番組のうちの前記提供情報に対応する部分の再生を開始して前記表示部に表示させる、ことを特徴とする。
【０００９】
また、本発明の一態様は、上記受信装置が、前記提供情報が取得可能な状態になった場合、視聴者が視聴している放送番組のうちの前記提供情報に対応する部分の開始時点を示す情報を前記情報処理装置から取得する再生情報取得部、を備え、前記表示制御部は、前記再生情報取得部が取得した前記開始時点を示す情報に基づいて、前記録画部により録画された放送番組のうちの前記提供情報に対応する部分を再生して前記表示部に表示させる、ことを特徴とする。
【００１０】
また、本発明の一態様は、上記受信装置において、視聴者が視聴している放送番組は、複数に区分された番組内のコーナーから構成されており、前記提供情報は、前記区分された番組内のコーナー単位で前記情報処理装置により選択され、前記表示制御部は、前記提供情報が取得可能な状態になった場合、前記提供情報を取得して前記表示部に表示させるとともに、前記録画部により録画された放送番組のうちの前記提供情報に対応する前記区分された番組内のコーナーの最初から再生を開始して前記表示部に表示させる、ことを特徴とする。
【００１１】
また、本発明の一態様は、上記受信装置が、複数の前記提供情報が取得可能な状態になった場合、複数の前記提供情報のリストを取得する提供情報取得部、を備え、前記表示制御部は、前記提供情報取得部が取得した前記提供情報のリストを前記表示部に表示させる、ことを特徴とする。
【００１２】
また、本発明の一態様は、上記受信装置において、前記表示制御部は、前記表示部に表示させた前記提供情報のリストの中から選択された前記提供情報を取得して前記表示部に表示させるとともに、前記録画部により録画された放送番組のうちの前記提供情報に対応する部分の再生を開始して前記表示部に表示させる、ことを特徴とする。
【００１３】
また、本発明の一態様は、上記受信装置において、前記表示制御部は、前記通知情報取得部が取得した前記通知情報に基づく情報を前記表示部に表示させる、ことを特徴とする。
【００１４】
また、本発明の一態様は、上記受信装置において、前記録画部は、視聴者が視聴している放送番組以外の放送番組を含む複数の放送番組を録画する、ことを特徴とする。
【００１５】
また、本発明の一態様は、上記受信装置において、前記録画部は、受信する複数の放送番組を常時録画する、ことを特徴とする。
【００１６】
また、本発明の一態様は、視聴者が視聴している放送番組を録画する録画部を備えた受信装置のコンピュータに、視聴者が視聴した放送番組の履歴を示す視聴履歴情報と視聴者が視聴している放送番組の内容に関する番組情報とに基づいて視聴者に提供される提供情報が情報処理装置により取得可能な状態になったことを示す情報を参照することにより、前記提供情報を取得して表示部に表示させるとともに、前記録画部により録画された放送番組のうちの前記提供情報に対応する部分を再生して前記表示部に表示させるステップ、を実行させるためのプログラムである。
【００１７】
また、本発明の一態様は、視聴者が受信装置で受信して視聴した放送番組の履歴を示す視聴履歴情報と、視聴者が視聴している放送番組の内容に関する番組情報とに基づいて視聴者に提供する提供情報を選択する提供情報選択部と、前記提供情報選択部により前記提供情報が選択されて提供可能な状態になった場合、前記提供情報を前記受信装置に対して送信するための制御をするとともに、視聴者が視聴している放送番組のうちの前記提供情報に対応する部分の開始時点を示す情報を前記受信装置に送信する制御部と、を備えることを特徴とする情報処理装置である。
【００１８】
また、本発明の一態様は、情報処理装置による情報処理方法であって、提供情報選択部が、視聴者が受信装置で受信して視聴した放送番組の履歴を示す視聴履歴情報と、視聴者が視聴している放送番組の内容に関する番組情報とを参照して、視聴者に提供する提供情報を選択するステップと、制御部が、前記提供情報選択部により前記提供情報が選択されて提供可能な状態になった場合、前記提供情報を前記受信装置に対して送信するための制御をするとともに、視聴者が視聴している放送番組のうちの前記提供情報に対応する部分の開始時点を示す情報を前記受信装置に送信するステップと、を有することを特徴とする情報処理方法である。
【００１９】
また、本発明の一態様は、受信装置で視聴者が視聴した放送番組の履歴を示す視聴履歴情報と、前記受信装置で視聴者が視聴している放送番組の内容に関する番組情報とに基づいて視聴者に提供される提供情報が情報処理装置により取得可能な状態になった場合、前記情報処理装置から前記提供情報のリストを取得する提供情報取得部と、前記提供情報取得部が取得した前記提供情報のリストの中から選択された前記提供情報を取得して表示部に表示させる表示制御部と、前記受信装置で録画された視聴者が視聴している放送番組のうち、選択された前記提供情報に対応する部分の再生を開始させるための再生指示情報を前記受信装置に送信する指示情報送信部と、を備えることを特徴とする携帯端末装置である。
【００２０】
また、本発明の一態様は、コンピュータに、受信装置で視聴者が視聴した放送番組の履歴を示す視聴履歴情報と、前記受信装置で視聴者が視聴している放送番組の内容に関する番組情報とに基づいて視聴者に提供される提供情報が情報処理装置により取得可能な状態になったことを示す情報を参照することにより、前記情報処理装置から前記提供情報のリストを取得するステップと、取得した前記提供情報のリストの中から選択された前記提供情報を取得して表示部に表示させるステップと、前記受信装置で録画された視聴者が視聴している放送番組のうち、選択された前記提供情報に対応する部分の再生を開始させるための再生指示情報を前記受信装置に送信するステップと、を実行させるためのプログラムである。
【００２１】
また、本発明の一態様は、受信装置で視聴者が視聴した放送番組の履歴を示す視聴履歴情報と、前記受信装置で視聴者が視聴している放送番組の内容に関する番組情報とに基づいて視聴者に提供される提供情報が情報処理装置により取得可能な状態になった場合、前記情報処理装置から前記提供情報のリストを取得する取得部と、前記取得部が取得した前記提供情報のリストの中からいずれかの前記提供情報が選択された場合、選択された前記提供情報を取得して表示部に表示させる表示制御部と、前記受信装置で録画された視聴者が視聴している放送番組のうち、選択された前記提供情報に対応する部分の再生を開始させるための再生指示情報を前記情報処理装置に送信する指示情報送信部と、を備えることを特徴とする携帯端末装置である。
【００２２】
また、本発明の一態様は、コンピュータに、受信装置で視聴者が視聴した放送番組の履歴を示す視聴履歴情報と、前記受信装置で視聴者が視聴している放送番組の内容に関する番組情報とに基づいて視聴者に提供される提供情報が情報処理装置により取得可能な状態になったことを示す情報を参照することにより、前記情報処理装置から前記提供情報のリストを取得するステップと、取得した前記提供情報のリストの中から選択された前記提供情報を取得して表示部に表示させるステップと、前記受信装置で録画された視聴者が視聴している放送番組のうち、選択された前記提供情報に対応する部分の再生を開始させるための再生指示情報を前記情報処理装置に送信するステップと、を実行させるためのプログラムである。
【００２３】
また、本発明の一態様は、情報処理装置と、受信装置とを備えた情報処理システムであって、前記情報処理装置は、視聴者が受信装置で受信して視聴した放送番組の履歴を示す視聴履歴情報と、視聴者が視聴している放送番組の内容に関する番組情報とに基づいて視聴者に提供する提供情報を選択する提供情報選択部と、前記提供情報選択部により前記提供情報が選択されて提供可能な状態になった場合、前記提供情報を前記受信装置に対して送信するための制御をするとともに、視聴者が視聴している放送番組のうちの前記提供情報に対応する部分の開始時点を示す情報を前記受信装置に送信する制御部と、を備え、前記受信装置は、視聴者が視聴している放送番組を録画する録画部と、前記提供情報が取得可能な状態になった場合、前記提供情報を取得する提供情報取得部と、前記提供情報が取得可能な状態になった場合、視聴者が視聴している放送番組のうちの前記提供情報に対応する部分の開始時点を示す情報を前記情報処理装置から取得する再生情報取得部と、前記提供情報取得部が取得した前記提供情報を表示部に表示させるとともに、前記再生情報取得部が取得した前記開始時点を示す情報に基づいて、前記録画部により録画された放送番組のうちの前記提供情報に対応する部分を再生して前記表示部に表示させる表示制御部と、を備えることを特徴とする情報処理システムである。
【００２４】
また、本発明の一態様は、情報処理装置と、携帯端末装置と、受信装置と、を備えた情報処理システムであって、前記情報処理装置は、視聴者が受信装置で受信して視聴した放送番組の履歴を示す視聴履歴情報と、視聴者が視聴している放送番組の内容に関する番組情報とに基づいて視聴者に提供する提供情報を選択する提供情報選択部と、前記提供情報選択部により前記提供情報が選択されて提供可能な状態になった場合、視聴者が視聴している放送番組のうちの前記提供情報に対応する部分の開始時点を示す情報を含む前記提供情報のリストを前記携帯端末装置に対して送信するための制御をする制御部と、を備え、前記携帯端末装置は、前記提供情報が取得可能な状態になった場合、前記情報処理装置から前記提供情報のリストを取得する提供情報取得部と、前記提供情報取得部が取得した前記提供情報のリストの中から選択された前記提供情報を取得して表示部に表示させる表示制御部と、前記受信装置で録画された視聴者が視聴している放送番組のうち、選択された前記提供情報に対応する部分の再生を開始させるための再生指示情報を前記受信装置に送信する指示情報送信部と、を備え、前記受信装置は、視聴者が視聴している放送番組を録画する録画部と、前記携帯端末装置から送信される前記再生指示情報を取得する指示情報取得部と、前記指示情報取得部が前記再生指示情報を取得したことに応じて、前記録画部により録画された放送番組のうちの前記提供情報に対応する部分を再生して前記表示部に表示させる表示制御部と、を備えることを特徴とする情報処理システムである。
【００２５】
また、本発明の一態様は、情報処理装置と、携帯端末装置と、受信装置と、を備えた情報処理システムであって、前記情報処理装置は、視聴者が受信装置で受信して視聴した放送番組の履歴を示す視聴履歴情報と、視聴者が視聴している放送番組の内容に関する番組情報とに基づいて視聴者に提供する提供情報を選択する提供情報選択部と、前記提供情報選択部により前記提供情報が選択されて提供可能な状態になった場合、前記提供情報のリストを前記携帯端末装置に対して送信するための制御をするとともに、前記携帯端末装置において前記提供情報のリストの中から選択された前記提供情報を特定可能な情報を前記携帯端末装置から取得し、取得した情報と前記番組情報とに基づいて、視聴者が視聴している放送番組のうち、選択された前記提供情報に対応する部分の開始時点を示す情報を前記受信装置に送信する制御部と、を備え、前記携帯端末装置は、前記提供情報が取得可能な状態になった場合、前記情報処理装置から前記提供情報のリストを取得する提供情報取得部と、前記提供情報取得部が取得した前記提供情報のリストの中から選択された前記提供情報を特定可能な情報を前記情報処理装置に送信する選択情報送信部と、前記提供情報取得部が取得した前記提供情報のリストの中からいずれかの前記提供情報が選択された場合、選択された前記提供情報を取得して表示部に表示させる表示制御部と、を備え、前記受信装置は、視聴者が視聴している放送番組を録画する録画部と、視聴者が視聴している放送番組のうちの前記提供情報に対応する部分の開始時点を示す情報を前記情報処理装置から取得する再生情報取得部と、前記再生情報取得部が取得した前記開始時点を示す情報に基づいて、前記録画部により録画された放送番組のうちの前記提供情報に対応する部分を再生して前記表示部に表示させる表示制御部と、を備えることを特徴とする情報処理システムである。
【発明の効果】
【００２６】
この発明によれば、視聴する放送番組に関連する情報を視聴者に効果的に提供することができる。
【図面の簡単な説明】
【００２７】
【図１】第１の実施形態に係る情報処理システムの概要を示す概念図である。
【図２】第１の実施形態に係る情報処理システムの構成の一例を示すブロック図である。
【図３】第１の実施形態に係るハードウェア構成の一例を示す図である。
【図４】第１の実施形態に係る情報処理装置及び情報処理システムの構成の一例を示すブロック図である。
【図５】視聴情報管理部２０４が記憶する番組情報テーブルの一例である。
【図６】視聴情報管理部２０４が記憶する嗜好情報テーブルの一例を示す図である。
【図７】提供情報管理部２０７が記憶する提供情報の一覧テーブルの一例を示す図である。
【図８】提供情報管理部２０７が記憶する通知リストテーブルの一例を示す図である。
【図９】第１の実施形態に係る受信装置の構成の一例を示すブロック図である。
【図１０】提供情報とタイムシフト再生との表示例を示す図である。
【図１１】第１の実施形態に係る携帯端末装置の構成の一例を示すブロック図である。
【図１２】第１の実施形態に係る表示処理の一例を示す動作図である。
【図１３】第２の実施形態に係る情報処理システム及び情報処理装置の構成の一例を示す図である。
【図１４】提供情報の通知リストの表示例を示す図である。
【図１５】第２の実施形態に係る表示処理の一例を示す動作図である。
【図１６】第３の実施形態に係る表示処理の一例を示す動作図である。
【図１７】第４の実施形態に係る情報処理システムの構成の一例を示すブロック図である。
【図１８】第４の実施形態に係る携帯端末装置の構成の一例を示すブロック図である。
【図１９】第４の実施形態に係る受信装置の構成の一例を示すブロック図である。
【図２０】第４の実施形態に係る表示処理の一例を示す動作図である。
【図２１】タイムシフト再生の映像と提供情報とを表示した表示例を示す図である。
【図２２】タイムシフト再生の映像と、提供情報と、現在放送中の放送番組の映像とを表示した表示例を示す図である。
【発明を実施するための形態】
【００２８】
[第１の実施形態]
以下、図面を参照して、本発明の実施の形態について説明する。
（情報処理システムの概要）
図１は、本実施形態に係る情報処理システム１の概要を示す概念図である。
情報処理システム１において、受信装置４０（例えば、テレビ受像機）は、テレビジョンの放送番組を受信して表示する。例えば、受信装置４０は、放送時間に従って放送される放送番組（ＬＩＶＥ放送番組）として、番組Ａ、番組Ｂ、番組Ｃを放送時間に従って受信して表示することができる。ここでは、時刻ｔ１０から時刻ｔ４０までは番組Ａが放送されており受信装置４０に表示される（表示画面Ｇ１１）。時刻ｔ４０から時刻ｔ５０までは番組Ｂが放送されており受信装置４０に表示される（表示画面Ｇ１２）。時刻ｔ５０から時刻ｔ６０までは番組Ｃが放送されており受信装置４０に表示される（表示画面Ｇ１３）。なお、番組Ａは、番組Ａの放送時間内で複数に区分されたコーナーＡ、コーナーＢ、及びコーナーＣから構成されている。時刻ｔ１０から時刻ｔ２０までがコーナーＡの放送時間であり、時刻ｔ２０から時刻ｔ３０までがコーナーＢの放送時間であり、時刻ｔ３０から時刻ｔ４０までがコーナーＣの放送時間である。
【００２９】
また、受信装置４０は、受信して表示する放送番組に関連する情報であってユーザの嗜好にあった情報（以下、「提供情報」という）を、コンテンツ配信サーバ（不図示）から取得して表示する。この提供情報は、例えば、放送番組及び放送番組内のコーナーで紹介されている商品、お店、施設などの詳細情報や広告などの情報であり、放送番組及び放送番組内のコーナーの番組情報と、視聴者の嗜好を示すキーワード（語句）である嗜好ワードとに基づいて情報処理装置２０において選択される。
【００３０】
しかしながら、番組情報が作成されるのは、番組内のコーナーが放送された後または番組が放送された後である。そのため、情報処理装置２０で提供情報が選択されて受信装置４０が取得可能になるまでには時間を要することとなり、番組内のコーナー又は番組が放送されている時間に対して遅延が生じる。
そこで、受信装置４０は、受信して表示する放送番組（即ち、視聴者が視聴する放送番組）を録画しておき、提供情報が準備できた時点で提供情報を取得して表示するとともに、録画しておいた放送番組のうちの提供情報に対応する部分を再生する（タイムシフト再生）。これにより、受信装置４０は、放送番組と提供情報とを同期して表示することができるようになる。図１を参照して、放送番組と提供情報とを同期して表示する表示処理の概要を説明する。
【００３１】
図１では、情報処理装置２０の構成要素のうち、番組情報取得部２０２と、視聴情報管理部２０４と、マッチング処理部２０６と、提供情報管理部２０７と、再生制御部２０８と、を示している。
情報処理装置２０の番組情報取得部２０２は、時刻ｔ２０において番組Ａ内のコーナーＡが終了した後、作成されたコーナーＡの番組情報を時刻ｔ２１において取得して視聴情報管理部２０４に記憶する。視聴情報管理部２０４は、コーナーＡの番組情報と、このコーナーＡの視聴者の嗜好ワードとをマッチング処理部２０６に供給する。マッチング処理部２０６は、コーナーＡの番組情報から視聴者の嗜好ワードと一致するワード（語句）を検索する（マッチング）。提供情報管理部２０７は、マッチング処理部２０６により検索されたワードをマッチングワードとし、このマッチングワードに対応する提供情報（情報Ａ）を選択する。これにより、時刻ｔ２２において、受信装置４０がコーナーＡに対応する提供情報（情報Ａ）を取得可能な状態となる。
【００３２】
そして、時刻ｔ２２において、提供情報管理部２０７は、選択した提供情報（情報Ａ）をコンテンツ配信サーバ（不図示）を介して受信装置４０に送信する。また、時刻ｔ２２において、情報処理装置２０で提供情報（情報Ａ）が選択されたことに応じて、再生制御部２０８は、コーナーＡのタイムスタンプ（放送開始時刻）を、受信装置４０に送信する。これにより、受信装置４０は、番組Ａ内のコーナーＡに対応する提供情報（情報Ａ）を取得して表示するとともに、録画したコーナーＡをタイムシフト再生して表示する。表示画面Ｇ２１は、提供情報（情報Ａ）とコーナーＡのタイムシフト再生が表示された表示画面の例を示している。表示画面Ｇ２１は、略左半分の左側表示領域Ｇ２１Ａと略右半分の右側表示領域Ｇ２１Ｂとの２画面で構成されており、左側表示領域Ｇ２１ＡにはコーナーＡのタイムシフト再生が表示され、右側表示領域Ｇ２１Ｂには提供情報（情報Ａ）が表示される。
【００３３】
また、コーナーＢ及びコーナーＣについても、コーナーＡと同様に提供情報が選択される。そして、コーナーＢに対応する提供情報（情報Ｂ）とコーナーＢのタイムシフト再生とが同期して表示され、コーナーＣに対応する提供情報（情報Ｃ）とコーナーＣのタイムシフト再生とが同期して表示される。
【００３４】
例えば、番組情報取得部２０２は、時刻ｔ３０において番組Ａ内のコーナーＢが終了した後、作成されたコーナーＢの番組情報を、時刻ｔ３１において取得する。また、提供情報管理部２０７は、マッチング処理部２０６がコーナーＢの番組情報から視聴者の嗜好ワードと一致するワード（語句）を検索することにより、検索されたマッチングワードに対応する提供情報（情報Ｂ）を選択する。これにより、時刻ｔ３２において、受信装置４０がコーナーＢに対応する提供情報（情報Ｂ）を取得可能な状態となる。
そして、時刻ｔ３２において、提供情報管理部２０７は、選択した提供情報（情報Ｂ）をコンテンツ配信サーバ（不図示）を介して受信装置４０に送信する。また、時刻ｔ３２において、情報処理装置２０で提供情報（情報Ｂ）が選択されたことに応じて、再生制御部２０８は、コーナーＢのタイムスタンプ（放送開始時刻）を、受信装置４０に送信する。これにより、受信装置４０は、番組Ａ内のコーナーＢに対応する提供情報（情報Ｂ）を取得して表示するとともに、録画したコーナーＢをタイムシフト再生して表示する。表示画面Ｇ２２は、提供情報（情報Ｂ）とコーナーＢのタイムシフト再生が表示された表示画面の例を示している。表示画面Ｇ２２のうちの左側表示領域Ｇ２２ＡにはコーナーＢのタイムシフト再生が表示され、右側表示領域Ｇ２２Ｂには提供情報（情報Ｂ）が表示される。
【００３５】
また、番組情報取得部２０２は、時刻ｔ４０において番組Ａ内のコーナーＣが終了した後、作成されたコーナーＣの番組情報を、時刻ｔ４１において取得する。また、提供情報管理部２０７は、マッチング処理部２０６がコーナーＣの番組情報から視聴者の嗜好ワードと一致するワード（語句）を検索することにより、検索されたマッチングワードに対応する提供情報（情報Ｃ）を選択する。これにより、時刻ｔ４２において、受信装置４０がコーナーＣに対応する提供情報（情報Ｃ）を取得可能な状態となる。
【００３６】
そして、時刻ｔ４２において、提供情報管理部２０７は、選択した提供情報（情報Ｃ）をコンテンツ配信サーバ（不図示）を介して受信装置４０に送信する。また、時刻ｔ４２において、情報処理装置２０で提供情報（情報Ｃ）が選択されたことに応じて、再生制御部２０８は、コーナーＣのタイムスタンプ（放送開始時刻）を、受信装置４０に送信する。これにより、受信装置４０は、番組Ａ内のコーナーＣに対応する提供情報（情報Ｃ）を取得して表示するとともに、録画したコーナーＣをタイムシフト再生して表示する。表示画面Ｇ２３は、提供情報（情報Ｃ）とコーナーＣのタイムシフト再生が表示された表示画面の例を示している。表示画面Ｇ２３の左側表示領域Ｇ２３ＡにはコーナーＣのタイムシフト再生が表示され、右側表示領域Ｇ２３Ｂには提供情報（情報Ｃ）が表示される。
【００３７】
（情報処理システムの構成）
次に、図２を参照して、情報処理システム１の構成について説明する。
図２は、本実施形態に係る情報処理システム１の構成の一例を示すブロック図である。
情報処理システム１は、視聴履歴提供サーバ１１、番組情報提供サーバ１２、情報／広告提供サーバ１３、コンテンツ配信サーバ１５、通知サーバ１６、スマートフォン向け配信サーバ１７、ＴＶ向け配信サーバ１８、情報処理装置２０、携帯端末装置３０、及び受信装置４０を含んで構成される。これら情報処理システム１に含まれる構成のそれぞれは、ネットワークＮＷに通信接続され、通信内容に応じてネットワークＮＷを介して相互にデータを送信及び受信する。
【００３８】
携帯端末装置３０は、多機能携帯電話機（所謂、スマートフォンを含む）、個人情報端末装置（ＰＤＡ：Ｐｅｒｓｏｎａｌ  Ｄｉｇｉｔａｌ  Ａｓｓｉｓｔａｎｔ）、タブレット型コンピュータ等、受信した提供情報を表示することができる情報端末装置である。ここでは、携帯端末装置３０は、スマートフォンであるとして説明する。
受信装置４０は、例えば、テレビジョン受像機（所謂、テレビ（ＴＶ：ｔｅｌｅｖｉｓｉｏｎ））、テレビジョン放送波の受信機能と表示部を備えたパーソナルコンピュータ、等である。なお、受信装置４０は、表示部を備えていない構成であってもよく、外部の表示装置と接続されるＤＶＤレコーダ、ＢＤレコーダ、ＨＤＤレコーダ、セットトップボックス等であってもよい。ここでは、受信装置４０は、テレビジョン受像機（ＴＶ）であるとして説明する。
【００３９】
ネットワークＮＷは、例えば、公衆無線通信網（ＰＬＭＮ：Ｐｕｂｌｉｃ  Ｌａｎｄ  
Ｍｏｂｉｌｅ  Ｎｅｔｗｏｒｋ）、ＰＨＳ（Ｐｅｒｓｏｎａｌ  Ｈａｎｄｙ−ｐｈｏｎｅ
Ｓｙｓｔｅｍ）網、ＶＰＮ（Ｖｉｒｔｕａｌ  Ｐｒｉｖａｔｅ  Ｎｅｔｗｏｒｋ）、専用通信回線、広域通信網（ＷＡＮ：Ｗｉｄｅ  Ａｒｅａ  Ｎｅｔｗｏｒｋ）、構内通信網（ＬＡＮ：Ｌｏｃａｌ  Ａｒｅａ  Ｎｅｔｗｏｒｋ）、等のいずれか又は組み合わせで構成される情報通信網である。ネットワークＮＷによるデータの伝送形態は、無線、有線、又はそれらの組み合わせでもよい。
【００４０】
視聴履歴提供サーバ１１、番組情報提供サーバ１２、情報／広告提供サーバ１３、コンテンツ配信サーバ１５、通知サーバ１６、スマートフォン向け配信サーバ１７、ＴＶ向け配信サーバ１８、及び情報処理装置２０は、例えば、サーバ機能を有するサーバである。以下の説明を簡単にするため、特に断らない限り１個である場合を例にする。
【００４１】
視聴履歴提供サーバ１１は、視聴者が受信装置４０で視聴した放送番組及び視聴している放送番組の履歴を示す視聴履歴情報を管理する。例えば、視聴履歴提供サーバ１１は、視聴者が受信装置４０で視聴している放送番組の視聴情報（視聴者のユーザＩＤ、放送番組の番組ＩＤ、視聴時間情報（視聴開始時刻や終了時刻）など）を受信装置４０から逐次に受信して、受信した視聴情報を内部に備える記憶部（不図示）に視聴履歴情報として記憶する。また、視聴履歴提供サーバ１１は、管理している視聴履歴情報を情報処理装置２０に送信する。例えば、視聴履歴提供サーバ１１は、新たに記憶された視聴情報を、所定時間（例えば、５分）間隔で情報処理装置２０に送信する。なお、情報処理装置２０が、所定時間間隔で視聴履歴提供サーバ１１から視聴情報を取得する方法でもよい。
【００４２】
番組情報提供サーバ１２は、放送局（不図示）が放送した放送番組及び放送番組内のコーナーに関する番組情報を記憶する記憶部（不図示）を備え、新たに取得した番組情報を逐次に情報処理装置２０に送信する。例えば、番組情報は、その放送番組を放送する事業者により番組やコーナーの放送後に作成される。番組情報提供サーバ１２は、作成された番組情報を放送局などから受信して、受信した番組情報を記憶する。番組情報には、放送番組を識別する番組ＩＤと、その放送番組の開始時刻及び終了時刻と、その放送番組の内容に関する複数の項目からなる要素が含まれる。番組情報の例については、後述する。例えば、番組情報提供サーバ１２は、新たに記憶された番組情報を、所定時間（例えば、５分）間隔で情報処理装置２０に送信する。なお、情報処理装置２０が、所定時間間隔で番組情報提供サーバ１２から番組情報を取得する方法でもよい。
【００４３】
情報／広告提供サーバ１３は、情報の提供元（例えば、広告主）が提供する提供情報を記憶する記憶部（不図示）を備え、提供情報に新たな情報が追加されるとその提供情報を逐次に情報処理装置２０に送信する。ここで、提供情報は、提供する情報の実体（例えば、バナー広告）であってもよいし、提供する情報の実体がある場所を示す情報（例えば、提供情報のＵＲＬ：Ｕｎｉｆｏｒｍ  Ｒｅｓｏｕｒｃｅ  Ｌｏｃａｔｏｒ）であってもよい。提供情報の例については、後述する。
【００４４】
情報処理装置２０は、視聴者が受信装置４０で受信して視聴した放送番組の履歴を示す視聴履歴情報を、視聴履歴提供サーバ１１から取得する。また、情報処理装置２０は、取得した視聴履歴情報に基づいて、放送番組の内容に関する番組情報を番組情報提供サーバ１２から取得する。また、情報処理装置２０は、取得した視聴履歴情報と番組情報とに基づいて、視聴者が視聴している放送番組に関連する提供情報を選択する。例えば、情報処理装置２０は、取得した視聴履歴情報に基づいて解析した視聴者の嗜好ワードと一致するワード（語句）を、視聴者が視聴している放送番組の番組情報から検索することにより、検索されたマッチングワードに対応する提供情報を、情報／広告提供サーバ１３から受信する提供情報の中から選択する。そして、情報処理装置２０は、選択した提供情報をコンテンツ配信サーバに送信する。また、情報処理装置２０は、提供情報を選択して受信装置４０に提供可能な状態となった場合、提供情報を提供可能な状態となったことを通知する通知情報を、通知サーバ１６を介して携帯端末装置３０、及び受信装置４０に送信する。
また、情報処理装置２０は、提供情報が選択されて提供可能な状態になった場合、視聴者が視聴している放送番組のうちの提供情報に対応する部分のタイムシフト再生を要求する再生開始要求情報を受信装置４０に送信する。
【００４５】
コンテンツ配信サーバ１５は、情報処理装置２０から受信した提供情報（バナー広告、提供情報のＵＲＬ等）を、携帯端末装置３０及び受信装置４０に送信する。
通知サーバ１６は、情報処理装置２０から通知情報を受信すると、受信した通知情報を通知先の仕様に応じた情報に変換して、スマートフォン向け配信サーバ１７及びＴＶ向け配信サーバ１８のそれぞれに送信する。なお、提供情報の提供元（例えば、広告主）が、提供情報の提供先を指定できるようにしてもよい。例えば、提供元（例えば、広告主）は、提供情報の提供先として、携帯端末装置３０と受信装置４０とのいずれか一方又は両方を指定することができる。この場合、通知サーバ１６は、指定された提供先に基づいて、スマートフォン向け配信サーバ１７とＴＶ向け配信サーバ１８とのいずれか一方又は両方に通知情報を送信する。スマートフォン向け配信サーバ１７は、通知サーバ１６から送信される通知情報を中継して携帯端末装置３０に送信する。ＴＶ向け配信サーバ１８は、通知サーバ１６から送信される通知情報を中継して受信装置４０に送信する。
【００４６】
（ハードウェア構成）
図３は、視聴履歴提供サーバ１１、番組情報提供サーバ１２、情報／広告提供サーバ１３、コンテンツ配信サーバ１５、通知サーバ１６、スマートフォン向け配信サーバ１７、ＴＶ向け配信サーバ１８、情報処理装置２０、携帯端末装置３０、及び受信装置４０のハードウェア構成の一例を示す図である。
【００４７】
視聴履歴提供サーバ１１、番組情報提供サーバ１２、情報／広告提供サーバ１３、コンテンツ配信サーバ１５、通知サーバ１６、スマートフォン向け配信サーバ１７、ＴＶ向け配信サーバ１８、情報処理装置２０、携帯端末装置３０、及び受信装置４０は、ＣＰＵ（Ｃｅｎｔｒａｌ  Ｐｒｏｃｅｓｓｉｎｇ  Ｕｎｉｔ）９２と、記憶装置９３と、入力装置９４と、表示装置９５と、通信装置９６と、を備える。これらの各部は、バスやＧＰＩＯ（Ｇｅｎｅｒａｌ  Ｐｕｒｐｏｓｅ  Ｉｎｐｕｔ／Ｏｕｔｐｕｔ）などを介して相互に接続されている。また、これらの各部は、視聴履歴提供サーバ１１、番組情報提供サーバ１２、情報／広告提供サーバ１３、コンテンツ配信サーバ１５、通知サーバ１６、スマートフォン向け配信サーバ１７、ＴＶ向け配信サーバ１８、情報処理装置２０、携帯端末装置３０、及び受信装置４０の各々の態様に応じて、適宜省略されてよい。また、視聴履歴提供サーバ１１、番組情報提供サーバ１２、情報／広告提供サーバ１３、コンテンツ配信サーバ１５、通知サーバ１６、スマートフォン向け配信サーバ１７、ＴＶ向け配信サーバ１８、情報処理装置２０、携帯端末装置３０、及び受信装置４０は、例示しない他の構成を備えてもよい。
【００４８】
記憶装置９３は、例えば、ＨＤＤ（Ｈａｒｄ  Ｄｉｓｃ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）、ＲＯＭ（Ｒｅａｄ  Ｏｎｌｙ  Ｍｅｍｏｒｙ）、またはＲＡＭ（Ｒａｎｄｏｍ  Ａｃｃｅｓｓ  Ｍｅｍｏｒｙ）などを備え、ファームウェアやアプリケーションプログラムなど、ＣＰＵ９２が処理を実行するための各種プログラムやＣＰＵが実行した処理の結果などを記憶する。
【００４９】
入力装置９４は、例えば、操作ボタン、リモコン（リモートコントローラ）、マウス、キーボード、またはタッチパネルなどである。表示装置９５は、例えば、液晶ディスプレイや有機ＥＬ（Ｅｌｅｃｔｒｏ−Ｌｕｍｉｎｅｓｃｅｎｃｅ）ディスプレイなどである。通信装置９６は、例えば、アンテナやネットワークカードなどを備える通信インターフェースや、テレビジョン放送を受信するテレビチューナーなどである。
【００５０】
（情報処理装置２０の構成）
次に、情報処理装置２０の構成と情報処理装置２０に関連する構成とについて詳述する。図４は、本実施形態に係る情報処理装置２０及び情報処理装置２０に関連する情報処理システム１の構成の一例を示すブロック図である。
この図に示す情報処理装置２０は、番組視聴情報取得部２０１、番組情報取得部２０２、データ投入部２０３、解析部２０５、視聴情報管理部２０４、マッチング処理部２０６、提供情報管理部２０７、及び再生制御部２０８を含んで構成される。
【００５１】
番組視聴情報取得部２０１は、視聴者が受信装置４０で受信して視聴した放送番組の視聴履歴情報を視聴履歴提供サーバ１１から取得する。例えば、番組視聴情報取得部２０１は、視聴履歴提供サーバ１１から逐次に更新された番組視聴情報（例えば、視聴者が視聴中の放送番組の視聴履歴情報）を取得する。そして、番組視聴情報取得部２０１は、取得した視聴履歴情報をデータ投入部２０３に出力する。
【００５２】
番組情報取得部２０２は、放送番組の内容に関する番組情報を取得する。例えば、番組情報取得部２０２は、番組情報提供サーバ１２から逐次に更新された番組情報を取得する。そして、番組情報取得部２０２は、取得した番組情報をデータ投入部２０３に出力する。
データ投入部２０３は、番組視聴情報取得部２０１から入力された視聴履歴情報と、番組情報取得部２０２から入力された番組情報とを、視聴情報管理部２０４に出力する。
【００５３】
視聴情報管理部２０４は、データ投入部２０３から入力された視聴履歴情報と番組情報とを、内部に備える記憶部２０４１に記憶する。
図５は、視聴情報管理部２０４が記憶する番組情報テーブルの一例である。番組情報テーブルには、番組ＩＤ、番組名、番組開始時刻、番組終了時刻、コーナーＩＤ、コーナー名、コーナー開始時刻、コーナー終了時刻、出演者、トピックワード等が関連付けられている。番組ＩＤは、番組を識別する識別情報であり、番組毎に固有の番組ＩＤが付与されている。番組名は、番組の名称（番組Ａ、番組Ｂ、番組Ｃ、番組Ｄ、番組Ｅ、番組Ｆ、等）である。番組開始時刻と番組終了時刻とは、その番組の開始時刻と終了時刻である。コーナーＩＤは、番組内のコーナーを識別する識別情報であり、コーナー毎に固有のコーナーＩＤが付与されている。コーナー名は、コーナーの名称（コーナーＡ、コーナーＢ、コーナーＣ、等）である。コーナー開始時刻とコーナー終了時刻とは、そのコーナーの開始時刻と終了時刻である。出演者は、番組又はコーナーの出演者の名前である。トピックワードは、番組又はコーナーでとりあげられた話題や事柄など示す情報である。
図示する例では、例えば、番組Ａには、番組Ａの放送時間（１０：００〜１１：２９）内に、コーナーＡ（１０：００〜１０：５９）、コーナーＢ（１１：００〜１１：１４）、及びコーナーＣ（１１：１５〜１１：２９）の３つのコーナーが含まれている。そして、コーナーＡのトピックワードは「料理、トマト、卵」であり、コーナーＢのトピックワード、「天気、台風」であり、コーナーＣのトピックワードは「家電、○×会社」である。
また、番組Ｂ、番組Ｃ、番組Ｄ、番組Ｅ、及び番組Ｆは、番組内にコーナー情報が無い番組の例である。例えば、番組Ｄの出演者は「出演者Ａ」であり、番組Ｅの出演者は「出演者Ｂ」である。
【００５４】
また、視聴情報管理部２０４は、この視聴履歴情報と番組情報とを解析部２０５に出力し、出力した視聴履歴情報に基づいて解析された嗜好ワードを解析部２０５から取得する。嗜好ワードは、視聴者が視聴した放送番組に係るキーワード（トピックワード、出演者、番組名等）を示す情報である。つまり、嗜好ワードは、視聴者毎の嗜好を示す嗜好ワードである。視聴情報管理部２０４は、取得した視聴者毎の嗜好ワードを含む嗜好情報を記憶部２０４１に記憶する。
【００５５】
図６は、視聴情報管理部２０４が記憶する嗜好情報テーブルの一例を示す図である。嗜好情報テーブルには、ユーザＩＤ、嗜好種別ＩＤ、嗜好種別名、嗜好ワード等が関連付けられている。ユーザＩＤは、視聴者毎のユーザＩＤである。嗜好種別ＩＤ及び嗜好種別名は、嗜好の種別を識別する識別情報、及び嗜好の種別の名称である。例えば、嗜好種別ＩＤ「３００００」の嗜好種別名が「番組」、嗜好種別ＩＤ「３０００１」の嗜好種別名が「出演者」、嗜好種別ＩＤ「３０００２」の嗜好種別名が「トピックワード」である。嗜好ワードは、その視聴者の嗜好ワードが嗜好種別毎に関連付けられている。
図示する例では、例えば、ユーザＩＤが「０００１」の視聴者の嗜好ワードとしては、「番組」では「番組Ｂ、番組Ｃ」、「出演者」では「出演者Ａ、出演者Ｂ」、「トピックワード」では「料理、天気、家電」、が関連付けられている。また、ユーザＩＤが「０００２」の視聴者の嗜好ワードとしては、「番組」では「番組Ａ」、「出演者」では「出演者Ｂ」、「トピックワード」では「台風」、が関連付けられている。
【００５６】
例えば、視聴情報管理部２０４は、データ投入部２０３から入力された視聴履歴情報を参照して、受信装置４０で視聴者が視聴している放送番組又は放送番組内のコーナーを特定する。そして、視聴情報管理部２０４は、特定した放送番組又は放送番組内のコーナーの番組情報がデータ投入部２０３から入力された場合（即ち、番組情報が作成されて取得できた場合）、特定した放送番組又は放送番組内のコーナーの番組情報と、この視聴者の嗜好情報と、この視聴者のユーザＩＤとを関連付けて、マッチング処理部２０６に出力する。
【００５７】
解析部２０５は、視聴情報管理部２０４から入力された視聴履歴情報と番組情報とを参照して、視聴者の嗜好を解析する。例えば、解析部２０５は、視聴履歴情報と番組情報とを参照して、視聴者が受信装置４０で視聴した放送番組又は放送番組内のコーナーに係る番組名、出演者、トピックワード等のキーワードを抽出する。そして、解析部２０５は、抽出したキーワード、又は抽出したキーワードのうち度数の高いキーワードを、嗜好ワードとして定め、定めた嗜好ワードを含む嗜好情報を視聴情報管理部２０４に出力する。
【００５８】
マッチング処理部２０６は、視聴者が視聴している放送番組又は放送番組内のコーナーの番組情報と、この視聴者の嗜好情報と、視聴者のユーザＩＤと、が入力されると、入力された番組情報から、入力された嗜好情報に含まれる嗜好ワードと一致する語句を検索（マッチング）する。また、マッチング処理部２０６は、検索したキーワードをマッチングワードと定め、定めたマッチングワードが含まれるマッチングワード情報と、番組情報と、視聴者のユーザＩＤとを対応付けて提供情報管理部２０７に出力する。
【００５９】
提供情報管理部２０７は、情報の提供元（例えば、広告主）が提供する提供情報を情報／広告提供サーバ１３から取得した提供情報の一覧を、内部に備える記憶部２０７１に記憶する。ここでは、提供情報管理部２０７は、提供する情報の実体がある場所を示す情報（例えば、ＵＲＬ）の一覧が記憶されるものとする。
図７は、提供情報管理部２０７が記憶する提供情報の一覧テーブルの一例を示す図である。提供情報の一覧テーブルには、情報ＩＤ、情報名、情報提供先のＵＲＬ、マッチングワード等が関連付けられている。情報ＩＤは、提供情報を識別する識別情報である。情報名は、その提供情報の名称である。情報提供先のＵＲＬは、その提供情報の実体がある場所を示すＵＲＬである。マッチングワードは、その提供情報を提供する対象となる視聴者のマッチングワードである。例えば、「情報１」はマッチングワードが「料理」である視聴者に提供する情報である。また、「情報２」はマッチングワードが「天気」である視聴者に提供する情報であり、「情報３」はマッチングワードが「家電」である視聴者に提供する情報である。また、「情報４」はマッチングワードが「番組Ｂ」である視聴者に提供する情報であり、「情報５」はマッチングワードが「番組Ｃ」である視聴者に提供する情報である。「情報６」はマッチングワードが「出演者Ａ」である視聴者に提供する情報であり、「情報７」はマッチングワードが「出演者Ｂ」である視聴者に提供する情報である。
【００６０】
例えば、提供情報管理部２０７は、記憶部２０７１に記憶する提供情報の一覧を参照して、マッチング処理部２０６から入力されたマッチングワード情報に含まれるマッチングワードが関連付けられている提供情報を、このマッチングワード情報に含まれるユーザＩＤの視聴者に提供する提供情報として選択する。つまり、提供情報管理部２０７は、視聴者が視聴している放送番組又は放送番組内のコーナーに対して視聴者に提供する提供情報を、視聴者の嗜好に合わせて選択する。そして、提供情報管理部２０７は、選択した視聴者毎の提供情報を、コンテンツ配信サーバ１５を介して携帯端末装置３０、及び受信装置４０に送信する。これにより、提供情報管理部２０７は、視聴者が視聴している放送番組又は放送番組内のコーナーに対して視聴者に提供する提供情報を、視聴者に対して通知することができる。
【００６１】
具体的には、提供情報管理部２０７は、携帯端末装置３０及び受信装置４０に対して送信する提供情報を選択すると、提供情報を提供可能な状態となったことを通知する通知情報を、通知サーバ１６に送信する。この通知情報には、通知先の受信装置４０を利用する視聴者のユーザＩＤと番組情報とが含まれている。また、提供情報管理部２０７は、この視聴者が利用する携帯端末装置３０におけるユーザＩＤを管理しており、通知情報に携帯端末装置３０におけるユーザＩＤと番組情報とを含めて、通知サーバ１６に送信する。これにより、通知サーバ１６は、受信した通知情報を通知先の仕様に応じた情報に変換して、スマートフォン向け配信サーバ１７及びＴＶ向け配信サーバ１８を介して、携帯端末装置３０、及び受信装置４０に送信する。
【００６２】
また、提供情報管理部２０７は、携帯端末装置３０及び受信装置４０に対して送信する提供情報を選択すると、選択した提供情報をリスト化した通知リストを生成し、記憶部２０７１に記憶する。そして、提供情報管理部２０７は、生成した通知リストを、コンテンツ配信サーバ１５に送信する。例えば、リスト化された提供情報は、コンテンツ配信サーバ１５から携帯端末装置３０及び受信装置４０に送信される。
図８は、提供情報管理部２０７が記憶する通知リストテーブルの一例を示す図である。
通知リストテーブルには、通知ＩＤ、番組ＩＤ、番組名、コーナーＩＤ、コーナー名、情報ＩＤ、情報名、情報提供先のＵＲＬ、マッチングワード、等が関連付けられている。
通知ＩＤは、リスト化された提供情報毎に付与される識別情報である。放送番組に対応する提供情報が選択された場合には、その放送番組の番組ＩＤ及び番組名が格納され、放送番組内のコーナーに対応する提供情報が選択された場合には、その放送番組の番組ＩＤ及び番組名と、そのコーナーのコーナーＩＤ及びコーナー名が格納される。また、情報ＩＤ、情報名、情報提供先のＵＲＬ、及びマッチングワードは、選択された提供情報（図７参照）である。
【００６３】
図示する例は、ユーザＩＤが「０００１」の視聴者（図６参照）に通知する提供情報の通知リストの一例である。
例えば、番組Ａ内のコーナーＡに対しては、マッチングワードが「料理」であるため「情報１」の提供情報が関連付けられている。番組Ａ内のコーナーＢに対しては、マッチングワードが「天気」であるため「情報２」の提供情報が関連付けられている。番組Ａ内のコーナーＣに対しては、マッチングワードが「家電」であるため「情報３」の提供情報が関連付けられている。
また、番組Ｂに対しては、マッチングワードが「番組Ｂ」であるため「情報４」の提供情報が関連付けられている。番組Ｃに対しては、マッチングワードが「番組Ｃ」であるため「情報５」の提供情報が関連付けられている。番組Ｄに対しては、マッチングワードが「出演者Ａ」であるため「情報６」の提供情報が関連付けられている。番組Ｅに対しては、マッチングワードが「出演者Ｂ」であるため「情報７」の提供情報が関連付けられている。
【００６４】
また、提供情報管理部２０７は、視聴者に提供する提供情報の通知リストを生成すると、視聴者が視聴している放送番組のうちの提供情報に対応する部分の開始時点を示す情報を、再生制御部２０８に出力する。例えば、提供情報管理部２０７は、生成した通知リストの通知ＩＤと、その通知ＩＤに関連付けられている番組ＩＤ又はコーナーＩＤと、その番組ＩＤ又はコーナーＩＤに番組情報で関連付けられている番組開始時刻又はコーナー開始時刻と、視聴者のユーザＩＤとを、再生制御部２０８に出力する。なお、提供情報管理部２０７は、通知リストにおいて、コーナーＩＤ及びコーナー名が格納されている場合には、番組ＩＤとコーナーＩＤとコーナー開始時刻とを含む情報を出力し、コーナーＩＤ及びコーナー名が格納されてない場合には（「ｎｕｌｌ」の場合には）番組ＩＤと番組開始時刻とを含む情報を出力する。
【００６５】
再生制御部２０８は、提供情報に対応する放送番組又は放送番組内のコーナーの番組開始時刻又はコーナー開始時刻からのタイムシフト再生の開始を要求する再生要求情報を、受信装置４０に送信する。例えば、再生制御部２０８は、提供情報管理部２０７から入力された、通知ＩＤと、番組ＩＤ又はコーナーＩＤと、番組開始時刻又はコーナー開始時刻と、視聴者のユーザＩＤと、が含まれる再生要求情報を、受信装置４０に送信する。
【００６６】
（受信装置の構成）
次に、本実施形態に係る受信装置４０の構成について説明する。
図９は、本実施形態に係る受信装置４０の構成の一例を示すブロック図である。受信装置４０は、チューナー部４０１、コーデック部４０２、録画部４０３、日時取得部４０４、操作取得部４０５、通知情報取得部４０６、提供情報処理部４０７、再生情報取得部４０８、表示制御部４０９、及び表示部４１０を含んで構成される。
【００６７】
チューナー部４０１は、放送局（不図示）から放送伝送路（不図示）を介して放送番組の番組データを受信し、受信した番組データをコーデック部４０２に出力する。コーデック部４０２は入力された番組データを復号して、録画部４０３又は表示制御部４０９に出力する。
録画部４０３は、チューナー部４０１が受信する放送番組のうち、視聴者により選択された放送番組の番組データを録画する。例えば、録画部４０３は、コーデック部４０２から入力された復号された番組データを録画して、受信装置４０が内部に備える記憶部（図３の記憶装置９３に相当する構成）に蓄積する。なお、録画部４０３は、受信装置４０の外部の記憶装置に録画した番組データを蓄積してもよい。また、録画部４０３が録画した番組データを再生する場合には、コーデック部４０２は、録画部４０３が再生した番組データを復号して、表示制御部４０９に出力する。
【００６８】
なお、録画部４０３は、複数のチューナー部４０１を備えて、同じ時間帯にチューナー部４０１が受信する複数の放送番組の番組データを録画してもよい。例えば、録画部４０３は、複数のチューナー部４０１を備えて、同じ時間帯にチューナー部４０１が受信可能な全ての放送番組の番組データを録画してもよい。この場合、録画部４０３は、録画可能な記憶領域がなくなるまで、又は予め設定された時間（例えば、１時間、１日等）分まで録画を行い、それ以降は古い番組データを消去しながら、複数の（又は全ての）放送番組の番組データの録画を継続することにより、常時録画を行ってもよい。
【００６９】
日時取得部４０４は、現在日時を示す日時情報を取得する。例えば、日時取得部４０４は、チューナー部４０１が受信するデジタル放送から日時情報を取得し、取得した日時情報を表示制御部４０９に出力する。
操作取得部４０５、受信装置４０の操作ボタン又はリモコン（図３の入力装置９４に相当する構成）から入力される操作情報を取得し、取得した操作情報を表示制御部４０９に出力する。
【００７０】
通知情報取得部４０６は、通知サーバ１６からＴＶ向け配信サーバ１８を介して送信された通知情報を、通信部（図３の通信装置９６に相当する構成）を介して取得する。
提供情報処理部４０７は、コンテンツ配信サーバ１５から送信された提供情報を取得し、取得した提供情報を、表示制御部４０９に出力する。
再生情報取得部４０８は、情報処理装置２０の再生制御部２０８から送信された再生要求情報を取得し、取得した再生要求情報を表示制御部４０９に出力する。
【００７１】
表示制御部４０９は、コーデック部４０２から入力された番組データを、表示部４１０（図３の表示装置９５に相当する構成）に表示させる。例えば、表示制御部４０９は、チューナー部４０１が受信した放送番組の番組データを表示部４１０に表示させる。また、表示制御部４０９は、録画部４０３が再生した放送番組の番組データを表示部４１０に表示させる。また、表示制御部４０９は、通知情報取得部４０６が取得した通知情報、提供情報処理部４０７が取得した提供情報を、表示部４１０に表示させる。
【００７２】
例えば、表示制御部４０９は、提供情報処理部４０７が取得した提供情報を表示部４１０に表示させるとともに、録画部４０３により録画された放送番組のうちの提供情報に対応する部分をタイムシフト再生して表示部４１０に表示させる。この提供情報に対応する部分の開始時点は、再生情報取得部４０８が取得する再生要求情報に含まれる番組ＩＤ又はコーナーＩＤと番組開始時刻又はコーナー開始時刻とにより特定される。即ち、表示制御部４０９は、再生情報取得部４０８が取得する再生要求情報に含まれる放送番組又は放送番組内のコーナーの番組開始時刻又はコーナー開始時刻からタイムシフト再生を開始する。
【００７３】
（表示部の表示例）
次に、提供情報と提供情報に対応する部分のタイムシフト再生との表示例について説明する。図１０は、本実施形態に係る提供情報とタイムシフト再生との表示例を示す図である。この図に示す例では、表示部４１０の表示画面全体の表示領域Ｇ４２０に、タイムシフト再生による映像と提供情報とが左右に並んで表示されている。表示領域Ｇ４２０のうちの略左半分の表示領域にあたる左側表示領域Ｇ４２０Ｌ（詳細には符号Ｇ４２１に示す表示領域）には、タイムシフト再生による映像が表示される。また、表示領域Ｇ４２０のうちの略右半分の表示領域にあたる右側表示領域Ｇ４２０Ｒには提供情報等が表示される。例えば、符号Ｇ４２２に示す表示領域は、視聴者による操作入力を受け付ける操作ボタン等が表示される操作表示領域である。また、符号Ｇ４２３に示す表示領域は、コンテンツ配信サーバ１５から送信される提供情報のＵＲＬに基づいて取得した提供情報（コンテンツ）が表示されるコンテンツ表示領域である。また、符号Ｇ４２４に示す表示領域は、コンテンツ配信サーバ１５から送信される提供情報に含まれるバナー広告が表示される広告表示領域である。
【００７４】
なお、提供情報が複数ある場合、複数の提供情報が符号Ｇ４２３と符号Ｇ４２４とを合わせた表示領域に提供情報の通知リストが表示されてもよい。複数の提供情報の通知リストが表示される態様については、第２の実施形態で説明する。
【００７５】
（携帯端末装置の構成）
次に、本実施形態に係る携帯端末装置３０の構成について説明する。
図１１は、本実施形態に係る携帯端末装置３０の構成の一例を示すブロック図である。
携帯端末装置３０は、日時取得部３０１、操作取得部３０２、通知情報取得部３０３、提供情報処理部３０４、表示部３０５、及び制御部３１０、を含んで構成される。
【００７６】
日時取得部３０１は、現在日時を示す日時情報を取得する。例えば、日時取得部３０１は、携帯電話通信網の基地局から日時情報を取得し、取得した日時情報を制御部３１０に出力する。
操作取得部３０２は、携帯端末装置３０の操作ボタン又はタッチパネル（図３の入力装置９４に相当する構成）から入力される操作情報を取得し、取得した操作情報を制御部３１０に出力する。
【００７７】
通知情報取得部３０３は、通知サーバ１６からスマートフォン向け配信サーバ１７を介して送信された通知情報を、通信部（図３の通信装置９６に相当する構成）を介して取得する。
提供情報処理部３０４は、コンテンツ配信サーバ１５から送信された提供情報を取得し、取得した提供情報を、制御部３１０に出力する。
表示部３０５（図３の表示装置９５に相当する構成）は、例えば、ディスプレイと表示画面上の接触を検知するタッチセンサとが重ねて配置されたタッチパネルとして構成されている。
制御部３１０は、携帯端末装置３０が備える各部を制御する。また、制御部３１０は、表示制御部３１１を備えている。表示制御部３１１は、通知情報取得部３０３が取得した通知情報、提供情報処理部３０４が取得した提供情報を、表示部３０５に表示させる。
【００７８】
（表示処理の動作）
次に、図１２を参照して、本実施形態に係る情報処理システム１において、放送番組に対応する提供情報の表示と当該放送番組の表示とを同期させる表示処理の動作について説明する。図１２は、本実施形態に係る表示処理の一例を示す動作図である。
【００７９】
（ステップＳ１０１）情報処理装置２０の番組情報取得部２０２は、放送番組の内容に関する番組情報を番組情報提供サーバ１２に対して要求する（番組情報取得要求）。
（ステップＳ１０２）番組情報取得部２０２は、番組情報取得要求に応じて番組情報提供サーバ１２から送信される逐次に更新された番組情報を取得する。
（ステップＳ１０３）番組情報取得部２０２は、取得した番組情報を記憶部２０４１（ＤＢ：データベース）の格納形式に変換してデータ投入部２０３に出力する。
（ステップＳ１０４）データ投入部２０３は、番組情報取得部２０２から入力された番組情報を取得し、取得した番組情報を視聴情報管理部２０４に出力する。
（ステップＳ１０５）視聴情報管理部２０４は、データ投入部２０３から入力された番組情報を記憶部２０４１に記憶する（番組情報をＤＢに格納）。
【００８０】
（ステップＳ１０６）情報処理装置２０の番組視聴情報取得部２０１は、視聴者が受信装置４０で現在視聴中の放送番組の視聴履歴情報を視聴履歴提供サーバ１１に対して要求する（視聴履歴情報取得要求）。
（ステップＳ１０７）番組視聴情報取得部２０１は、視聴履歴情報取得要求に応じて視聴履歴提供サーバ１１から送信される逐次に更新された視聴履歴情報（視聴者が受信装置４０で現在視聴中の視聴履歴情報）を取得する。
（ステップＳ１０８）番組視聴情報取得部２０１は、取得した視聴履歴情報を記憶部２０４１（ＤＢ：データベース）の格納形式に変換してデータ投入部２０３に出力する。
（ステップＳ１０９）データ投入部２０３は、番組視聴情報取得部２０１から入力された視聴履歴情報を取得し、取得した視聴履歴情報を視聴情報管理部２０４に出力する。
（ステップＳ１１０）視聴情報管理部２０４は、データ投入部２０３から入力された視聴履歴情報を記憶部２０４１に記憶する（視聴履歴情報をＤＢに格納）。また、視聴情報管理部２０４は、視聴履歴情報を参照して、受信装置４０で視聴者が視聴中の放送番組又は放送番組内のコーナーを特定する。そして、視聴情報管理部２０４は、特定した放送番組又は放送番組内のコーナーの番組情報がデータ投入部２０３から入力された場合（即ち、番組情報が作成されて取得できた場合）、特定した放送番組又は放送番組内のコーナーの番組情報と、視聴者の嗜好情報と、視聴者のユーザＩＤとを関連付けて、マッチング処理部２０６に出力する。
【００８１】
なお、ステップＳ２０１、Ｓ２０２において、視聴情報管理部２０４は、視聴履歴を定期的に解析部２０５に解析させ、視聴者の嗜好情報を記憶部２０４１に記憶（ＤＢに格納）する。
（ステップＳ２０１）視聴情報管理部２０４は、視聴履歴情報と番組情報とを解析部２０５に出力する。解析部２０５は、視聴情報管理部２０４から入力された視聴履歴情報と番組情報とを参照して、視聴者の嗜好を解析する。具体的には、解析部２０５は、視聴履歴情報と番組情報とを参照して、視聴者が受信装置４０で視聴した放送番組又は放送番組内のコーナーに係る番組名、出演者、トピックワード等のキーワードを抽出する。そして、解析部２０５は、抽出したキーワード、又は抽出したキーワードのうち度数の高いキーワードを、嗜好ワードとして定める。
（ステップＳ２０２）解析部２０５は、定めた嗜好ワードを含む嗜好情報を視聴情報管理部２０４に出力する。視聴情報管理部２０４は、解析部２０５により解析された嗜好ワードを含む嗜好情報を解析部２０５から取得し、取得した視聴者毎の嗜好ワードを含む嗜好情報を記憶部２０４１に記憶する。
【００８２】
（ステップＳ１１１）ステップＳ１１０において、特定した放送番組又は放送番組内のコーナーの番組情報と、視聴者の嗜好情報と、視聴者のユーザＩＤとが視聴情報管理部２０４からマッチング処理部２０６へ受け渡されると、マッチング処理部２０６は、マッチング処理を行う。マッチング処理部２０６は、番組情報から視聴者の嗜好情報に含まれる嗜好ワードと一致する語句を検索（マッチング）する。また、マッチング処理部２０６は、検索したキーワードをマッチングワードと定め、定めたマッチングワードが含まれるマッチングワード情報と、番組情報と、視聴者のユーザＩＤとを対応付けて提供情報管理部２０７に出力する。
【００８３】
（ステップＳ１２１）提供情報管理部２０７は、記憶部２０７１に記憶する提供情報の一覧を参照して、マッチング処理部２０６から入力されたマッチングワード情報に含まれるマッチングワードが関連付けられている提供情報を、このマッチングワード情報に含まれるユーザＩＤの視聴者に提供する提供情報として選択する。そして、提供情報管理部２０７は、携帯端末装置３０及び受信装置４０に対して送信する提供情報を選択すると、提供情報を提供可能な状態となったことを通知する通知情報を通知サーバ１６に送信する。
（ステップＳ１２２）通知サーバ１６は、受信した通知情報を通知先の仕様に応じた情報に変換して、スマートフォン向け配信サーバ１７を介して、携帯端末装置３０に送信する。なお、図１２では、スマートフォン向け配信サーバ１７の記載を省略している。
（ステップＳ１２３）携帯端末装置３０は、通知サーバ１６から送信された通知情報を受信する。なお、携帯端末装置３０は、この通知情報に基づいて、提供情報を提供可能な状態となったことを示す情報を表示部３０５に表示してもよい。
（ステップＳ１２４）通知サーバ１６は、受信した通知情報を通知先の仕様に応じた情報に変換して、ＴＶ向け配信サーバ１８を介して、受信装置４０に送信する。なお、図１２では、ＴＶ向け配信サーバ１８の記載を省略している。
（ステップＳ１２５）受信装置４０は、通知サーバ１６から送信された通知情報を受信する。なお、受信装置４０は、この通知情報に基づいて、提供情報を提供可能な状態となったことを示す情報を表示部４１０に表示してもよい。
【００８４】
（ステップＳ１２６）提供情報管理部２０７は、携帯端末装置３０及び受信装置４０に対して送信する提供情報を選択すると、選択した提供情報（バナー広告、提供情報のＵＲＬ等）をリスト化した通知リストを生成し、記憶部２０７１に記憶する。
（ステップＳ１２７）提供情報管理部２０７は、視聴者に提供する提供情報の通知リストを生成すると、視聴者が視聴している放送番組のうちの提供情報に対応する部分の開始時点を示す情報を、再生制御部２０８に出力する。例えば、提供情報管理部２０７は、生成した通知リストの通知ＩＤと、その通知ＩＤに関連付けられている番組ＩＤ又はコーナーＩＤと、その番組ＩＤ又はコーナーＩＤに番組情報で関連付けられている番組開始時刻又はコーナー開始時刻と、視聴者のユーザＩＤとを、再生制御部２０８に出力する。例えば、図８に示す通知リストテーブルのうち、通知ＩＤ「１」の通知リストの場合には、通知ＩＤ「１」と、番組Ａの番組ＩＤ「１００００」と、コーナーＡのコーナーＩＤ「２００００」と、コーナー開始時刻「１０：００」と、ユーザＩＤ「０００１」を、再生制御部２０８に出力する。
【００８５】
（ステップＳ１２８）再生制御部２０８は、提供情報管理部２０７から入力された、通知ＩＤと、番組ＩＤ又はコーナーＩＤと、番組開始時刻又はコーナー開始時刻と、視聴者のユーザＩＤと、が含まれる再生要求情報を、受信装置４０に送信する。
（ステップＳ１２９）受信装置４０は、再生制御部２０８から送信された再生要求情報を取得すると、再生要求情報に含まれる番組ＩＤ又はコーナーＩＤと、番組開始時刻又はコーナー開始時刻とに基づいて、録画された放送番組のうちの提供情報に対応する部分のタイムシフト再生を開始して表示部４１０に表示させる。例えば、受信装置４０は、図８に示す通知リストテーブルのうちの通知ＩＤ「１」の通知リストに基づく再生要求情報を取得した場合には、番組Ａ内のコーナーＡのタイムシフト再生の映像を、図１０に示す左側表示領域Ｇ４２０Ｌに表示する。
【００８６】
（ステップＳ１３１）提供情報管理部２０７は、生成した通知リストを、コンテンツ配信サーバ１５に送信する。
（ステップＳ１３２）コンテンツ配信サーバ１５は、提供情報管理部２０７から送信された通知リストを受信すると、受信した通知リストを登録する。
【００８７】
（ステップＳ１３３）携帯端末装置３０は、定期的にコンテンツ配信サーバ１５に対して自身に提供される提供情報の通知リストが登録されているかの照会を行う。なお、携帯端末装置３０は、視聴者の操作により提供情報の表示要求があった場合（例えば、提供情報を表示する場合、又は通知リストを表示する場合）、自身に提供される提供情報の通知リストが登録されているかの照会をコンテンツ配信サーバ１５に対して行ってもよい。
（ステップＳ１３４）コンテンツ配信サーバ１５は、携帯端末装置３０から通知リストの照会を受けると、携帯端末装置３０に提供する提供情報の通知リストが登録されているか否かを判定し、登録されている場合には、当該通知リストを携帯端末装置３０に送信する。
（ステップＳ１３５）携帯端末装置３０は、コンテンツ配信サーバ１５から自身に提供される提供情報の通知リストを受信し、受信した通知リストに含まれる提供情報（バナー広告、提供情報のＵＲＬ等）に基づいて、提供情報を表示部３０５に表示する。
【００８８】
（ステップＳ１３６）受信装置４０は、定期的にコンテンツ配信サーバ１５に対して自身に提供される提供情報の通知リストが登録されているかの照会を行う。なお、受信装置４０は、視聴者の操作により提供情報の表示要求があった場合（例えば、タイムシフト再生と提供情報との２画面表示する場合、又は通知リストを表示する場合）、自身に提供される提供情報の通知リストが登録されているかの照会をコンテンツ配信サーバ１５に対して行ってもよい。
（ステップＳ１３７）コンテンツ配信サーバ１５は、受信装置４０から通知リストの照会を受けると、受信装置４０に提供する提供情報の通知リストが登録されているか否かを判定し、登録されている場合には、当該通知リストを受信装置４０に送信する。
（ステップＳ１３８）受信装置４０は、受信した通知リストに含まれる提供情報（バナー広告、提供情報のＵＲＬ等）に基づいて、提供情報を表示部４１０に表示する。例えば、受信装置４０は、提供情報を、図１０に示す右側表示領域Ｇ４２０Ｒ（符号Ｇ４２３に示す表示領域、符号Ｇ４２４に示す表示領域、等）に表示する。例えば、図８に示す通知リストテーブルのうち、通知ＩＤ「１」の通知リストの場合には、情報１のＵＲＬに基づいて情報１のコンテンツが、右側表示領域Ｇ４２０Ｒに表示される。即ち、受信装置４０には、例えば、番組Ａ内のコーナーＡのタイムシフト再生の映像と、視聴者の嗜好にあったコーナーＡに対応する提供情報とが、同一画面内に同期して表示される。
【００８９】
以上説明したように、本実施形態に係る情報処理システム１において、情報処理装置２０は、提供情報管理部２０７（提供情報選択部及び制御部の一例）を備えている。提供情報管理部２０７は、視聴者が受信装置４０で受信して視聴した放送番組の履歴を示す視聴履歴情報と、視聴者が視聴している放送番組の内容に関する番組情報とに基づいて視聴者に提供する提供情報を選択する。また、提供情報管理部２０７は、提供情報が選択されて提供可能な状態になった場合、その提供情報を受信装置４０に対して送信するための制御をする。また、提供情報管理部２０７は、視聴者が視聴している放送番組のうちの上記提供情報に対応する部分の開始時点を示す情報を、再生制御部２０８を介して受信装置４０に送信する。
また、受信装置４０は、録画部４０３と、表示制御部４０９と、を備えている。録画部４０３は、視聴者が視聴している放送番組を録画する。表示制御部４０９は、視聴者が視聴した放送番組の履歴を示す視聴履歴情報と視聴者が視聴している放送番組の内容に関する番組情報とに基づいて視聴者に提供される提供情報が、情報処理装置２０により選択されて取得可能な状態になった場合、その提供情報を取得して表示部４１０に表示させる。また、表示制御部４０９は、録画部４０３により録画された放送番組のうちの上記提供情報に対応する部分を再生して表示部４１０に表示させる。
このように、受信装置４０は、視聴する放送番組を録画しておき、番組に関連する提供情報の準備が整った後にタイムシフト再生を可能としたため、視聴する放送番組の視聴と、視聴者の嗜好にあったその番組に関連する提供情報の提供とを同期させることができる。よって、本実施形態によれば、視聴する放送番組に関連する情報を視聴者に効果的に提供することができる。
【００９０】
例えば、受信装置４０は、提供情報が取得可能な状態になった場合、情報処理装置２０の制御により送信される、提供情報が取得可能な状態になったことを示す通知情報を取得する通知情報取得部４０６をさらに備えている。そして、表示制御部４０９は、通知情報取得部４０６が通知情報を取得したことに応じて、提供情報を取得して表示部４１０に表示させるとともに、録画部４０３により録画された放送番組のうちの提供情報に対応する部分の再生を開始して表示部４１０に表示させる。これにより、受信装置４０は、視聴者による操作を必要としないで、提供情報が準備された時点で、放送番組のうちの提供情報に対応する部分の再生と提供情報の表示とを同時に行うことができる。
【００９１】
また、受信装置４０は、通知情報取得部４０６が通知情報を取得した場合に、視聴者からの提供情報の表示指示の操作入力を受け付ける操作取得部４０５をさらに備えている。そして、表示制御部４０９は、操作取得部４０５が視聴者からの提供情報の表示指示の操作入力を取得したことに応じて、提供情報を取得して表示部４１０に表示させるとともに、録画部４０３により録画された放送番組のうちの提供情報に対応する部分の再生を開始して表示部４１０に表示させてもよい。
例えば、図１２に示す表示処理を参照して説明すると、受信装置４０は、ステップＳ１２５において通知サーバ１６から受信した通知情報を表示部４１０に表示し、視聴者からの提供情報の表示指示の操作入力を待つ。また、受信装置４０は、ステップＳ１２９において再生要求情報を取得すると、すぐにはタイムシフト再生を開始しないで再生要求を保留する。さらに、受信装置４０は、ステップＳ１３８において通知リストを取得すると、すぐには提供情報を表示しないで保留する。そして、受信装置４０は、視聴者からの提供情報の表示指示の操作入力を取得したことに応じて、再生要求情報に基づいてタイムシフト再生を開始するとともに、通知リストに含まれる提供情報（バナー広告、提供情報のＵＲＬ等）に基づいて、提供情報を表示部４１０に表示する。
これにより、視聴者は、提供情報を表示させるタイミングを任意に決めることができるとともに、提供情報の表示を行うか否かを選択することもできる。
【００９２】
また、受信装置４０は、再生情報取得部４０８を備えている。再生情報取得部４０８は、提供情報が取得可能な状態になった場合、視聴者が視聴している放送番組のうちの提供情報に対応する部分の開始時点を示す情報を情報処理装置２０から取得する。そして、表示制御部４０９は、再生情報取得部４０８が取得した開始時点を示す情報に基づいて、録画部４０３により録画された放送番組のうちの提供情報に対応する部分を再生して表示部４１０に表示させる。これにより、受信装置４０は、放送番組のうちの情報処理装置２０で選択された提供情報に対応する部分を特定することができ、放送番組のうちの提供情報に対応する部分の再生と提供情報の表示とを同時に行うことができる。
【００９３】
また、視聴者が視聴している放送番組は、複数に区分された番組内のコーナーから構成されており、提供情報は、区分された番組内のコーナー単位で情報処理装置２０により選択される。そして、表示制御部４０９は、提供情報が取得可能な状態になった場合、提供情報を取得して表示部４１０に表示させるとともに、録画部４０３により録画された放送番組のうちの提供情報に対応する番組内のコーナーの最初から再生を開始して表示部４１０に表示させる。これにより、受信装置４０は、番組内でさまざまなテーマや話題が取り上げられている場合であっても、コーナー毎のテーマや話題と視聴者の嗜好とにあった提供情報を、視聴者に提供することができる。
【００９４】
また、表示制御部４０９は、通知情報取得部４０６が取得した通知情報に基づく情報を表示部４１０に表示させてもよい。これにより、受信装置４０は、視聴者が視聴していた放送番組に関連する提供情報が表示可能であることを、視聴者に通知することができる。よって、視聴者は、視聴者が視聴していた放送番組に関連する提供情報があることを容易に認識することができる。
【００９５】
また、録画部４０３は、視聴者が視聴している放送番組以外の放送番組を含む複数の放送番組を録画してもよい。例えば、録画部４０３は、複数のチューナー部４０１を備えて、同じ時間帯にチューナー部４０１が受信する複数の放送番組の番組データを録画してもよい。これにより、受信装置４０は、視聴者が番組又は番組内のコーナーの途中から視聴を始めた場合であっても、その番組又は番組内のコーナーの開始時点から録画されているため、タイムシフト再生による番組の視聴と提供情報の表示とを同期して行うことができる。
【００９６】
また、録画部４０３は、受信する複数の放送番組を常時録画してもよい。例えば、録画部４０３は、録画可能な記憶領域がなくなるまで、又は予め設定された時間（例えば、１時間、１日等）分まで録画を行い、それ以降は古い番組データを消去しながら、複数の（又は全ての）放送番組の録画を継続することにより、常時録画を行ってもよい。
また、録画部４０３は、情報処理装置２０において、録画した放送番組の番組データのうち、視聴者の嗜好ワードとマッチングしないことにより、提供情報が選択されなかった放送番組の番組データを削除してもよい。また、録画部４０３は、録画した放送番組の番組データのうち、視聴者の嗜好ワードとマッチングしないことにより、提供情報が選択されなかった放送番組内のコーナー（即ち、放送番組内のコーナーのうちのマッチングしたコーナー以外）の番組データを削除してもよい。
【００９７】
[第２の実施形態]
次に、本発明の第２の実施形態について説明する。
本実施形態では、視聴者が放送番組に対応する複数の提供情報の通知リストの中から表示する提供情報を選択する例を説明する。
【００９８】
図１３は、本実施形態に係る情報処理システム１Ａ及び情報処理装置２０Ａの構成の一例を示す図である。なお、この図において、図２の各部に対応する構成には同一の符号を付けており、その説明を省略する。
【００９９】
情報処理システム１Ａは、視聴履歴提供サーバ１１、番組情報提供サーバ１２、情報／広告提供サーバ１３、コンテンツ配信サーバ１５Ａ、通知サーバ１６、スマートフォン向け配信サーバ１７、ＴＶ向け配信サーバ１８、情報処理装置２０Ａ、携帯端末装置３０Ａ、及び受信装置４０Ａを含んで構成される。また、情報処理装置２０Ａは、番組視聴情報取得部２０１、番組情報取得部２０２、データ投入部２０３、解析部２０５、視聴情報管理部２０４、マッチング処理部２０６、提供情報管理部２０７Ａ、及び再生制御部２０８を含んで構成される。なお、携帯端末装置３０Ａ及び受信装置４０Ａのそれぞれの基本的な構成は、図１１に示す携帯端末装置３０及び図９に示す受信装置４０のそれぞれの構成と同様である。
【０１００】
提供情報管理部２０７Ａは、携帯端末装置３０Ａ及び受信装置４０Ａに対して送信する提供情報を選択すると、選択した提供情報をリスト化した通知リストを生成し、記憶部２０７１Ａに記憶する。なお、提供情報を選択する処理は、第１の実施形態で説明した提供情報管理部２０７による処理と同様である。
提供情報管理部２０７Ａは、生成した通知リストを、コンテンツ配信サーバ１５Ａに送信する。コンテンツ配信サーバ１５Ａは、複数の提供情報の通知リストを携帯端末装置３０Ａ及び受信装置４０Ａに送信する。携帯端末装置３０Ａ及び受信装置４０Ａは、複数の提供情報の通知リストを取得して表示する。
【０１０１】
図１４は、提供情報の通知リストの表示例を示す図である。
この図は、受信装置４０Ａに表示される通知リストの表示例を示しており、表示部４１０の表示画面全体の表示領域Ｇ４２０のうちの右側表示領域Ｇ４２０Ｒを示している。右側表示領域Ｇ４２０Ｒのうち、符号Ｇ４２５が示すリスト表示領域に通知リストが表示されている。リスト表示領域Ｇ４２５には、番組名が表示される番組ラベルと、その番組に対応する提供情報のタイトル等が表示される情報タイトルラベルとが、組みになって表示される。例えば、番組ラベルＬＢ１０には番組名として「番組Ａ」が表示され、「番組Ａ」に対応する提供情報としての情報タイトルラベルＬＢ１１と情報タイトルラベルＬＢ１２とのそれぞれには、情報名として「情報１」と、「情報２」とが表示されている。また、番組ラベルＬＢ２０には番組名として「番組Ｂ」が表示され、「番組Ｂ」に対応する提供情報としての情報タイトルラベルＬＢ２１には、情報名として「情報４」が表示されている。また、情報タイトルラベルには、情報名の他に通知日時やその情報のサマリー等が表示される。なお、通知リストにおいて、各番組の静止画のサムネイル画像を、各番組ラベルに対応付けて表示してもよい。また、通知リストにおいて、各番組の動画のサムネイル画像を、各番組ラベルに対応付けて表示してもよい。
【０１０２】
また、情報タイトルラベルは、視聴者の操作により選択が可能な操作子として表示されている。情報タイトルラベルのいずれかが視聴者により選択されると、受信装置４０Ａは、選択された情報タイトルラベルの提供情報を、当該提供情報のＵＲＬに基づいて取得して表示部４１０に表示する。例えば、受信装置４０Ａは、右側表示領域Ｇ４２０Ｒの表示を、通知リストの表示から提供情報（コンテンツ）の表示に切り替える。なお、タブＴＢ１とタブＴＢ２は、通知リストの表示と提供情報（コンテンツ）の表示とを切り替える操作子として表示されている。タブＴＢ１は通知リストの表示に切り替える通知リストタブであり、タブＴＢ２は提供情報（コンテンツ）の表示に切り替えるホームタブである。
なお、携帯端末装置３０Ａに通知リストが表示される場合には、例えば、この図１４に示す表示例と同様の通知リストが、表示部３０５の表示画面の全体の表示領域に対して表示される。
【０１０３】
次に、図１５を参照して、本実施形態に係る情報処理システム１Ａにおいて、放送番組に対応する提供情報の表示と当該放送番組の表示とを同期させる表示処理の動作について説明する。図１５は、本実施形態に係る表示処理の一例を示す動作図である。この図において、図１２の各処理に対応する部分には同じ符号を付けている。本実施形態に係る表示処理は、ステップＳ１２６の通知リストの生成処理までは、図１２に示す表示処理と同様であり、その説明を省略する。なお、この図では、ステップＳ１１１以前の処理の図示を省略している。
【０１０４】
情報処理装置２０Ａの提供情報管理部２０７Ａは、ステップＳ１２６において通知リストを生成すると、再生制御部２０８への出力処理（図１２のステップＳ１２７〜Ｓ１２９の処理）を行わずに、ステップＳ１３１〜Ｓ１３４の処理と、ステップＳ１３６〜Ｓ１３７の処理とを行う。つまり、提供情報管理部２０７Ａは、通知リストを生成すると、生成した通知リストをコンテンツ配信サーバ１５Ａを介して携帯端末装置３０Ａ及び受信装置４０Ａに送信する。
【０１０５】
（ステップＳ１４０）携帯端末装置３０Ａは、受信した通知リストを表示部３０５に表示する。
（ステップＳ１５０）受信装置４０Ａは、受信した通知リストを表示部４１０に表示する（図１４の表示例を参照）。
（ステップＳ１５１）通知リストとして表示されている情報タイトルラベルのいずれかが視聴者により選択されると、受信装置４０Ａは、選択された情報タイトルラベルの提供情報を、当該提供情報のＵＲＬに基づいて取得して表示部４１０に表示する。例えば、表示部４１０の右側表示領域Ｇ４２０Ｒが、通知リストの表示から提供情報（コンテンツ）の表示に切り替わる。また、受信装置４０Ａは、通知リストのうち視聴者により選択された提供情報の通知ＩＤを、コンテンツ配信サーバ１５Ａに送信する。
【０１０６】
（ステップＳ１５２）コンテンツ配信サーバ１５Ａは、受信装置４０Ａから送信された選択された提供情報の通知ＩＤを受信すると、受信した通知ＩＤを情報処理装置２０Ａの提供情報管理部２０７Ａに送信する。
（ステップＳ１５３）提供情報管理部２０７Ａは、コンテンツ配信サーバ１５Ａから送信された通知ＩＤを取得すると、受信した通知ＩＤと、その通知ＩＤに関連付けられている番組ＩＤ又はコーナーＩＤと、その番組ＩＤ又はコーナーＩＤに番組情報で関連付けられている番組開始時刻又はコーナー開始時刻と、視聴者のユーザＩＤとを、再生制御部２０８に出力する。
【０１０７】
（ステップＳ１５４）再生制御部２０８は、提供情報管理部２０７Ａから入力された、通知ＩＤと、番組ＩＤ又はコーナーＩＤと、番組開始時刻又はコーナー開始時刻と、視聴者のユーザＩＤと、が含まれる再生要求情報を、受信装置４０Ａに送信する。
（ステップＳ１５５）受信装置４０Ａは、再生制御部２０８から送信された再生要求情報を取得すると、再生要求情報に含まれる番組ＩＤ又はコーナーＩＤと、番組開始時刻又はコーナー開始時刻とに基づいて、録画された放送番組のうちの提供情報に対応する部分のタイムシフト再生を開始して表示部４１０に表示させる。例えば、受信装置４０Ａは、タイムシフト再生の映像を、図１０に示す左側表示領域Ｇ４２０Ｌに表示する。
【０１０８】
以上説明したように、本実施形態に係る情報処理システム１Ａにおいて、受信装置４０Ａの表示制御部４０９は、複数の提供情報が取得可能な状態になった場合、複数の提供情報のリスト（例えば、通知リスト）を取得して、取得した通知リストを表示部４１０に表示させる。例えば、受信装置４０Ａは、複数の提供情報が取得可能な状態になった場合、複数の提供情報の通知リストを取得する提供情報処理部４０７（提供情報取得部の一例）を備えている。そして、表示制御部４０９は、提供情報処理部４０７が取得した提供情報の通知リストを表示部４１０に表示させる。これにより、受信装置４０Ａは、複数の番組やコーナーで提供情報が複数提供可能になった場合に、それら複数の提供情報を一覧にして視聴者に知らせることができる。
【０１０９】
また、表示制御部４０９は、表示部４１０に表示させた提供情報の通知リストの中から選択された提供情報を取得して表示部４１０に表示させるとともに、録画部４０３により録画された放送番組のうちの提供情報に対応する部分の再生を開始して表示部４１０に表示させる。これにより、視聴者は、提供可能になった提供情報の中から興味のあるものを選択して、タイムシフト再生による番組を視聴しながら提供情報も見ることができる。
【０１１０】
[第３の実施形態]
次に、本発明の第３の実施形態について説明する。
本実施形態に係る情報処理システム１Ａの基本的な構成は、図１３に示す構成と同様であるため、本実施形態の特徴的な処理について説明する。本実施形態では、携帯端末装置３０Ａで、表示されている複数の提供情報の通知リストの中から提供情報が選択される例を説明する。
【０１１１】
図１６は、本実施形態に係る表示処理の一例を示す動作図である。この図において、図１５の各処理に対応する部分には同じ符号を付けており、その説明を省略する。
（ステップＳ１４１）携帯端末装置３０Ａの表示部３０５に通知リストとして表示されている情報タイトルラベルのいずれかが視聴者により選択されると、携帯端末装置３０Ａは、選択された情報タイトルラベルの提供情報を、当該提供情報のＵＲＬに基づいて取得して表示部３０５に表示する。また、携帯端末装置３０Ａは、通知リストのうち視聴者により選択された提供情報の通知ＩＤを、コンテンツ配信サーバ１５Ａに送信する。
（ステップＳ１４２）コンテンツ配信サーバ１５Ａは、携帯端末装置３０Ａから送信された選択された提供情報の通知ＩＤを受信すると、受信した通知ＩＤを情報処理装置２０Ａの提供情報管理部２０７Ａに送信する。
【０１１２】
以降のステップＳ１５３〜Ｓ１５５の処理は、図１５を参照して説明した第２の実施形態と同様である。受信装置４０Ａは、再生制御部２０８から送信された再生要求情報を取得すると、再生要求情報に含まれる番組ＩＤ又はコーナーＩＤと、番組開始時刻又はコーナー開始時刻とに基づいて、録画された放送番組のうちの提供情報に対応する部分のタイムシフト再生を開始して表示部４１０（例えば、左側表示領域Ｇ４２０Ｌ）に表示させる。
【０１１３】
なお、受信装置４０Ａは、再生要求情報に含まれる通知ＩＤにより、携帯端末装置３０Ａで選択された提供情報を特定できるため、選択された提供情報を、当該提供情報のＵＲＬに基づいて取得して表示部４１０（例えば、右側表示領域Ｇ４２０Ｒ）に表示してもよい。また、受信装置４０Ａは、提供情報を表示しない場合には、タイムシフト再生の映像を表示部４１０の全体の表示領域Ｇ４２０に表示してもよい。
【０１１４】
以上説明したように、本実施形態に係る情報処理システム１Ａにおいて、情報処理装置２０Ａは、提供情報管理部２０７Ａ（提供情報選択部及び制御部の一例）を備えている。提供情報管理部２０７Ａは、視聴者が受信装置４０Ａで受信して視聴した放送番組の履歴を示す視聴履歴情報と、視聴者が視聴している放送番組の内容に関する番組情報とに基づいて視聴者に提供する提供情報を選択する。また、提供情報管理部２０７Ａは、提供情報が選択されて提供可能な状態になった場合、提供情報のリスト（例えば、通知リスト）を携帯端末装置３０Ａに対して送信するための制御をする。また、提供情報管理部２０７Ａは、携帯端末装置３０Ａにおいて提供情報の通知リストの中から選択された提供情報を特定可能な情報（例えば、通知ＩＤ）を携帯端末装置３０Ａから取得し、取得した情報と番組情報とに基づいて、視聴者が視聴している放送番組のうち、選択された提供情報に対応する部分の開始時点を示す情報を、再生制御部２０８を介して受信装置４０Ａに送信する。
【０１１５】
また、携帯端末装置３０Ａは、提供情報処理部３０４（提供情報取得部及び選択情報送信部の一例）と、表示制御部３１１と、を備えている。提供情報処理部３０４は、提供情報が取得可能な状態になった場合、情報処理装置２０Ａから提供情報の通知リストを取得する。また、提供情報処理部３０４は、取得した提供情報の通知リストの中から選択された提供情報を特定可能な情報を情報処理装置２０Ａに送信する。そして、表示制御部３１１は、提供情報処理部３０４が取得した提供情報の通知リストの中からいずれかの提供情報が選択された場合、選択された提供情報を取得して表示部３０５に表示させる。
【０１１６】
また、受信装置４０Ａは、録画部４０３と、再生情報取得部４０８と、表示制御部４０９と、を備えている。録画部４０３は、視聴者が視聴している放送番組を録画する。再生情報取得部４０８は、視聴者が視聴している放送番組のうちの提供情報に対応する部分の開始時点を示す情報を情報処理装置２０Ａから取得する。そして、表示制御部４０９は、再生情報取得部４０８が取得した開始時点を示す情報に基づいて、録画部４０３により録画された放送番組のうちの提供情報に対応する部分を再生して表示部４１０に表示させる。
【０１１７】
これにより、携帯端末装置３０Ａで表示されている複数の提供情報の通知リストの中から提供情報を選択することで、受信装置４０Ａは、選択された提供情報の表示と、放送番組のうちの提供情報に対応する部分の再生とを同時に行うことができる。よって、本実施形態によれば、視聴する放送番組に関連する情報を視聴者が容易に選択でき、効果的に提供することができる。
【０１１８】
[第４の実施形態]
次に、本発明の第４の実施形態について説明する。
図１７は、本実施形態に係る情報処理システム１Ｂの構成の一例を示すブロック図である。なお、この図において、図１３の各部に対応する構成には同一の符号を付けており、その説明を省略する。情報処理システム１Ｂは、図１３に示す情報処理装置２０Ａ、携帯端末装置３０Ａ、及び受信装置４０Ａに代えて、情報処理装置２０Ｂ、携帯端末装置３０Ｂ、及び受信装置４０Ｂを備えている。その他の構成は、図１３に示す構成と同様である。
【０１１９】
本実施形態では、携帯端末装置３０Ｂで表示されている複数の提供情報の通知リストの中から提供情報が選択された場合に、録画された放送番組のうちの提供情報に対応する部分のタイムシフト再生を携帯端末装置３０Ｂから受信装置４０Ｂに情報処理装置２０Ｂを介さずに直接的に指示する例を説明する。
情報処理装置２０Ｂは、提供情報管理部２０７Ｂが記憶部２０７１Ｂに記憶して管理する通知リストテーブルにおいて、通知ＩＤ、番組ＩＤ、番組名、コーナーＩＤ、コーナー名、情報ＩＤ、情報名、情報提供先のＵＲＬ、及びマッチングワードに加えて、番組開始時刻及びコーナー開始時刻をさらに関連付けて管理する。これにより、情報処理装置２０Ｂから携帯端末装置３０Ｂ及び受信装置４０Ｂに通知リストが受け渡された時点で、提供情報に対応する放送番組の開始時点の情報も携帯端末装置３０Ｂ及び受信装置４０Ｂに受け渡される。これにより、提供情報に対応する部分のタイムシフト再生を携帯端末装置３０Ｂから受信装置４０Ｂに情報処理装置２０Ｂを介さずに直接的に指示することが可能となる。
【０１２０】
携帯端末装置３０Ｂは、受信装置４０Ｂの機能を実行させるための指示情報を無線通信により受信装置４０Ｂに対して送信する機能（所謂、リモートコントロール機能）を有している。この無線通信は、赤外線、Ｂｌｕｅｔｏｏｔｈ（登録商標）、無線ＬＡＮ、等のいずれの通信であってもよい。
【０１２１】
図１８は、本実施形態に係る携帯端末装置３０Ｂの構成の一例を示すブロック図である。携帯端末装置３０Ｂは、日時取得部３０１、操作取得部３０２、通知情報取得部３０３、提供情報処理部３０４、表示部３０５、指示情報送信部３０７Ｂ、及び制御部３１０、を含んで構成される。この図において、図１１の各部に対応する構成には同じ符号を付けており、その説明を省略する。
【０１２２】
指示情報送信部３０７Ｂは、受信装置４０Ｂで録画された視聴者が視聴している放送番組のうち、選択された提供情報に対応する部分の再生を開始させるための再生指示情報を受信装置４０Ｂに送信する。具体的には、指示情報送信部３０７Ｂは、通知リストの中から提供情報が選択されると、通知リストを参照して、選択された提供情報に関連付けられている番組ＩＤ又はコーナーＩＤと、番組開始時刻又はコーナー開始時刻とを含む再生指示情報を受信装置４０Ｂに送信する。なお、通知リストの情報は受信装置４０Ｂにもあるため、指示情報送信部３０７Ｂは、再生指示情報として、番組ＩＤ又はコーナーＩＤと番組開始時刻又はコーナー開始時刻とを送信しなくとも、通知ＩＤを送信してもよい。
【０１２３】
図１９は、本実施形態に係る受信装置４０Ｂの構成の一例を示すブロック図である。受信装置４０Ｂは、チューナー部４０１、コーデック部４０２、録画部４０３、日時取得部４０４、操作取得部４０５、通知情報取得部４０６、提供情報処理部４０７、再生情報取得部４０８、表示制御部４０９Ｂ、表示部４１０、及び指示情報取得部４１１Ｂを含んで構成される。この図において、図９の各部に対応する構成には同じ符号を付けており、その説明を省略する。
【０１２４】
指示情報取得部４１１Ｂは、携帯端末装置３０Ｂから送信される再生指示情報を取得し、取得した再生指示情報を表示制御部４０９Ｂに出力する。表示制御部４０９Ｂは、再生指示情報に番組ＩＤ又はコーナーＩＤと番組開始時刻又はコーナー開始時刻とが含まれる場合、その番組ＩＤ又はコーナーＩＤと番組開始時刻又はコーナー開始時刻とに基づいて、録画された放送番組のうちの提供情報に対応する部分のタイムシフト再生を開始する。なお、再生指示情報に通知ＩＤが含まれる場合、表示制御部４０９Ｂは、情報処理装置２０Ｂから取得した通知リストを参照して、その通知ＩＤに関連付けられている番組ＩＤ又はコーナーＩＤと番組開始時刻又はコーナー開始時刻とに基づいて、録画された放送番組のうちの提供情報に対応する部分のタイムシフト再生を開始する。
【０１２５】
図２０は、本実施形態に係る表示処理の一例を示す動作図である。この図において、図１６の各処理に対応する部分には同じ符号を付けており、その説明を適宜省略する。
（ステップＳ１４１）携帯端末装置３０Ｂの表示部３０５に通知リストとして表示されている情報タイトルラベルのいずれかが視聴者により選択されると、携帯端末装置３０Ｂは、選択された情報タイトルラベルの提供情報を、当該提供情報のＵＲＬに基づいて取得して表示部３０５に表示する。また、携帯端末装置３０Ｂは、通知リストのうち視聴者により選択された提供情報の通知ＩＤを、コンテンツ配信サーバ１５Ａに送信する。
（ステップＳ１４２）コンテンツ配信サーバ１５Ａは、携帯端末装置３０Ａから送信された選択された提供情報の通知ＩＤを受信すると、受信した通知ＩＤを情報処理装置２０Ｂの提供情報管理部２０７Ｂに送信する。
（ステップＳ１６０）提供情報管理部２０７Ｂは、コンテンツ配信サーバ１５Ａから送信された通知ＩＤを取得する。これにより、情報処理装置２０Ｂは、携帯端末装置３０Ｂでいずれの提供情報が選択されたかを管理することができる。
なお、ステップＳ１４１において、携帯端末装置３０Ｂは、通知リストのうち視聴者により選択された提供情報の通知ＩＤを、コンテンツ配信サーバ１５Ａに送信しなくてもよい。この場合、ステップＳ１４２及びステップＳ１６０の処理は行われない。
（ステップＳ１６１）携帯端末装置３０Ｂは、選択された提供情報に関連付けられている番組ＩＤ又はコーナーＩＤと番組開始時刻又はコーナー開始時刻とを含む再生指示情報を受信装置４０Ｂに送信する。
（ステップＳ１６２）受信装置４０Ｂは、携帯端末装置３０Ｂから送信された再生指示情報に基づいて、録画された放送番組のうちの提供情報に対応する部分のタイムシフト再生を開始して表示部４１０（例えば、左側表示領域Ｇ４２０Ｌ）に表示させる。
【０１２６】
なお、受信装置４０Ｂは、再生指示情報に通知ＩＤが含まれる場合、携帯端末装置３０Ｂで選択された提供情報を特定できるため、選択された提供情報を、当該提供情報のＵＲＬに基づいて取得して表示部４１０（例えば、右側表示領域Ｇ４２０Ｒ）に表示してもよい。また、受信装置４０Ｂは、提供情報を表示しない場合には、タイムシフト再生の映像を表示部４１０の全体の表示領域Ｇ４２０に表示してもよい。
【０１２７】
以上説明したように、本実施形態に係る情報処理システム１Ｂにおいて、情報処理装置２０Ｂは、提供情報管理部２０７Ｂ（提供情報選択部及び制御部の一例）を備えている。提供情報管理部２０７Ｂは、視聴者が受信装置４０Ｂで受信して視聴した放送番組の履歴を示す視聴履歴情報と、視聴者が視聴している放送番組の内容に関する番組情報とに基づいて視聴者に提供する提供情報を選択する。また、提供情報管理部２０７Ｂは、提供情報が選択されて提供可能な状態になった場合、視聴者が視聴している放送番組のうちの提供情報に対応する部分の開始時点を示す情報を含む提供情報のリスト（例えば、通知リスト）を携帯端末装置３０Ｂに対して送信するための制御をする。
【０１２８】
携帯端末装置３０Ｂは、提供情報処理部３０４（提供情報取得部の一例）と、指示情報送信部３０７Ｂと、表示制御部３１１と、を備えている。提供情報処理部３０４は、提供情報が取得可能な状態になった場合、情報処理装置２０Ｂから提供情報の通知リストを取得する。表示制御部３１１は、提供情報処理部３０４が取得した提供情報の通知リストの中から選択された提供情報を取得して表示部３０５に表示させる。指示情報送信部３０７Ｂは、受信装置４０Ｂで録画された視聴者が視聴している放送番組のうち、選択された提供情報に対応する部分の再生を開始させるための再生指示情報を受信装置４０Ｂに送信する。
【０１２９】
受信装置４０Ｂは、録画部４０３と、指示情報取得部４１１Ｂと、表示制御部４０９Ｂと、を備えている。録画部４０３は、視聴者が視聴している放送番組を録画する。指示情報取得部４１１Ｂは、携帯端末装置から送信される再生指示情報を取得する。表示制御部４０９Ｂは、指示情報取得部４１１Ｂが再生指示情報を取得したことに応じて、録画部４０３により録画された放送番組のうちの提供情報に対応する部分を再生して表示部４１０に表示させる。
【０１３０】
これにより、携帯端末装置３０Ｂで表示されている複数の提供情報の通知リストの中から提供情報を選択することで、受信装置４０Ｂは、選択された提供情報の表示と、放送番組のうちの提供情報に対応する部分の再生とを同時に行うことができる。よって、本実施形態によれば、視聴する放送番組に関連する情報を視聴者が容易に選択でき、効果的に提供することができる。
【０１３１】
以上、この発明の実施形態について図面を参照して詳述してきたが、具体的な構成は上述の実施形態に限られるものではなく、この発明の要旨を逸脱しない範囲内において様々な設計変更等をすることが可能である。例えば、上述の第１〜４の実施形態において説明した各構成は、任意に組み合わせることができる。
【０１３２】
なお、上記実施形態では、受信装置４０（４０Ａ、４０Ｂ）は、タイムシフト再生の映像と提供情報とを左右に並べて同時に表示する例を説明した。図２１は、タイムシフト再生の映像と提供情報とを左右に並べて同時に表示した表示例を示す図である。この図に示す例では、表示画面全体の表示領域Ｇ４２０において、左側表示領域Ｇ４２０Ｌの中の表示領域Ｇ４２１には、タイムシフト再生（ここでは、サッカーの番組）の映像が表示されている。また、右側表示領域Ｇ４２０Ｒには、視聴者の嗜好にあわせて選択されたサッカーの番組に関連する提供情報（コンテンツ、例えばＷＥＢ情報）が表示されている。
しかしながら、タイムシフト再生の映像と提供情報とを左右に並べて同時に表示する場合、上述したようにタイムシフト再生の映像と提供情報との２画面に限られるものではない。例えば、受信装置４０（４０Ａ、４０Ｂ）は、タイムシフト再生の映像と提供情報とに加えて、現在放送中の放送番組の映像も並べて同時に表示してもよい。図２２は、タイムシフト再生の映像と、提供情報と、現在放送中の放送番組（ＬＩＶＥ放送番組）の映像とを同時に表示した表示例を示す図である。この図に示す例では、表示画面全体の表示領域Ｇ４２０において、左側表示領域Ｇ４２０Ｌの中の表示領域Ｇ４２１には、現在放送中の放送番組（ここでは、料理番組）の映像が表示されている。また、左側表示領域Ｇ４２０Ｌの中の表示領域Ｇ４２２には、タイムシフト再生（ここでは、サッカーの番組）の映像が表示されている。ここで、表示領域Ｇ４２２は表示領域Ｇ４２１より小さい領域であり、表示領域Ｇ４２１と表示領域Ｇ４２２との関係は主画面と副画面との関係にある。なお、図示する例とは反対に、表示領域Ｇ４２１にタイムシフト再生（ここでは、サッカーの番組）の映像が表示され、表示領域Ｇ４２２に現在放送中の放送番組（ここでは、料理番組）の映像が表示されてもよい。また、右側表示領域Ｇ４２０Ｒには、図２１の例と同様に、視聴者の嗜好にあわせて選択されたサッカーの番組に関連する提供情報（コンテンツ、例えばＷＥＢ情報）が表示されている。
【０１３３】
なお、上記実施形態では、提供情報の通知リストの表示例として図１４に示す例を説明したが、これに限られるものではない。通知リストの並びや形状等は任意に定めることができる。
【０１３４】
また、上述した情報処理システム１（１Ａ、１Ｂ）が備える各構成は、任意のコンピュータ装置に分散または集約して配置することができる。例えば、視聴履歴提供サーバ１１、番組情報提供サーバ１２、情報／広告提供サーバ１３、コンテンツ配信サーバ１５、通知サーバ１６、スマートフォン向け配信サーバ１７、ＴＶ向け配信サーバ１８、及び情報処理装置２０は、クラウド環境やネットワーク環境、ユーザ数の規模、情報処理システム１（１Ａ、１Ｂ）を構成するために用意されたハードウェアの数やスペック等に応じて、任意のコンピュータ装置に分散または集約して配置することができる。また、視聴履歴提供サーバ１１、番組情報提供サーバ１２、情報／広告提供サーバ１３、コンテンツ配信サーバ１５、通知サーバ１６、スマートフォン向け配信サーバ１７、ＴＶ向け配信サーバ１８、及び情報処理装置２０のそれぞれのサーバ装置が内部に備える記憶部は、それぞれのサーバ装置とは異なるサーバ装置に備えられてもよい。また、視聴履歴提供サーバ１１、番組情報提供サーバ１２、情報／広告提供サーバ１３、コンテンツ配信サーバ１５、通知サーバ１６、スマートフォン向け配信サーバ１７、ＴＶ向け配信サーバ１８、及び情報処理装置２０のうちのいずれか複数のサーバ装置が、一体となったサーバ装置として構成されてもよい。
【０１３５】
なお、上述した実施形態における情報処理装置２０（２０Ａ、２０Ｂ）、携帯端末装置３０（３０Ａ、３０Ｂ）、又は受信装置４０（４０Ａ、４０Ｂ）の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、情報処理装置２０（２０Ａ、２０Ｂ）、携帯端末装置３０（３０Ａ、３０Ｂ）、又は受信装置４０（４０Ａ、４０Ｂ）に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１３６】
また、上述した実施形態における情報処理装置２０（２０Ａ、２０Ｂ）、携帯端末装置３０（３０Ａ、３０Ｂ）、又は受信装置４０（４０Ａ、４０Ｂ）の一部、または全部を、ＬＳＩ（Ｌａｒｇｅ  Ｓｃａｌｅ  Ｉｎｔｅｇｒａｔｉｏｎ）等の集積回路として実現してもよい。また、情報処理装置２０（２０Ａ、２０Ｂ）、携帯端末装置３０（３０Ａ、３０Ｂ）、又は受信装置４０（４０Ａ、４０Ｂ）の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１３７】
１，１Ａ，１Ｂ  情報処理システム、１１  視聴履歴提供サーバ、１２  番組情報提供サーバ、１３  情報／広告提供サーバ、１５  コンテンツ配信サーバ、１６  通知サーバ、１７  スマートフォン向け配信サーバ、１８  ＴＶ向け配信サーバ、２０，２０Ａ，２０Ｂ  情報処理装置、３０，３０Ａ，３０Ｂ  携帯端末装置、４０，４０Ａ，４０Ｂ  受信装置、９２  ＣＰＵ、９３  記憶装置、９４  入力装置、９５  表示装置、９６  通信装置、２０１  番組視聴情報取得部、２０２  番組情報取得部、２０３  データ投入部、２０４  視聴情報管理部、２０４１  記憶部、２０５  解析部、２０６  マッチング処理部、２０７，２０７Ａ，２０７Ｂ  提供情報管理部、２０７１，２０７１Ａ，２０７１Ｂ  記憶部、２０８  再生制御部、３０１  日時取得部、３０２  操作取得部、３０３  通知情報取得部、３０４  提供情報処理部、３０５  表示部、３０７Ｂ  指示情報送信部、３１０  制御部、４０１  チューナー部、４０２  コーデック部、４０３  録画部、４０４  日時取得部、４０５  操作取得部、４０６  通知情報取得部、４０７  提供情報処理部、４０８  再生情報取得部、４０９  表示制御部、４１０  表示部、４１１Ｂ  指示情報取得部
【図１】
0006478620.tif 000002
【図２】
0006478620.tif 000003
【図３】
0006478620.tif 000004
【図４】
0006478620.tif 000005
【図５】
0006478620.tif 000006
【図６】
0006478620.tif 000007
【図７】
0006478620.tif 000008
【図８】
0006478620.tif 000009
【図９】
0006478620.tif 000010
【図１０】
0006478620.tif 000011
【図１１】
0006478620.tif 000012
【図１２】
0006478620.tif 000013
【図１３】
0006478620.tif 000014
【図１４】
0006478620.tif 000015
【図１５】
0006478620.tif 000016
【図１６】
0006478620.tif 000017
【図１７】
0006478620.tif 000018
【図１８】
0006478620.tif 000019
【図１９】
0006478620.tif 000020
【図２０】
0006478620.tif 000021
【図２１】
0006478620.tif 000022
【図２２】
0006478620.tif 000023